(57)【要約】　　　（修正有）【課題】環境変化等による光源の光量変化やマルチビームなどによる光源の増加に対して短時間に精度良く光量の補正を行う方法を提供する。【解決手段】光源の光量を測定する測光手段（Ｕ１）、光源を全ての階調の画像出力信号に基づいて発光させ測光したときの各階調毎の光量値を算出処理する第１の光量測光処理手段（２９ａ）、画像を露光する前に、多段階の階調の画像出力信号のうちの少なくとも１つの特定の階調を選択して、それに基づいて前記光源を発光させ、前記測光手段にて１点測光したときの露光前光量値を算出処理する第２の光量測光処理手段（２９ｂ）、前記露光前光量値と前記光量値とに基づいて、測光による光量の誤差を測光係数として算出する測光係数算出手段（２９ｃ）、前記測光係数算出手段にて算出された測光係数に基づいて、前記画像の露光時の画像出力信号に対して補正演算を行い、前記光量を補正する光量補正手段（２９ｄ）、を含む。【選択図】　　　図２
2004034457.tif 000002
【特許請求の範囲】
【請求項１】
光量変調可能な光源により感光材料を露光して画像を記録する画像記録装置であって、
前記光源の光量を測定する測光手段と、
前記光源を全ての階調の画像出力信号に基づいて発光させて、前記測光手段にて測光したときの各階調毎の光量値を求める第１の光量測光処理手段と、
前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を求める第２の光量測光処理手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって各階調における前記光量を補正する光量補正手段と、
を含むことを特徴とする画像記録装置。
【請求項２】
光量変調可能な光源により感光材料を露光して画像を記録する画像記録装置であって、
前記光源の光量を測定する測光手段と、
前記光源を全ての階調の画像出力信号に基づいて発光させて、前記測光手段にて測光したときの各階調毎の光量値を求める第１の光量測光処理手段と、
前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を求める第２の光量測光処理手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって前記光量を補正する光量補正手段と、
を含むことを特徴とする画像記録装置。
【請求項３】
前記光源は、複数個有し、
前記光量補正手段は、複数個の光源の各々の光量に対する光量補正を各々行うことを特徴とする請求項１又は請求項２に記載の画像記録装置。
【請求項４】
前記光源は、ＬＥＤ光源を使用することを特徴とする請求項１乃至請求項３のうちいずれか一項に記載の画像記録装置。
【請求項５】
前記第１の光量測光処理手段による測光処理は、定期的な時間あるいは装置立ち上げ時に実施されることを特徴とする請求項１又は請求項２に記載の画像記録装置。
【請求項６】
光量変調可能な光源の光量を測定する測光手段を備えた画像記録装置を管理する管理装置であって、
前記画像記録装置に対して、前記光源を全ての階調の画像出力信号に基づいて発光させて前記測光手段にて測光させるよう指示し、前記測光手段での各階調毎の光量値の情報を取得する第１の取得手段と、
前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する第２の取得手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行い、前記光量を補正する光量補正手段と、前記光量補正手段での補正結果情報を前記画像記録装置に対して転送し、前記画像記録装置内の情報を更新するように指示する転送制御手段と、
を含むことを特徴とする管理装置。
【請求項７】
光量変調可能な光源の光量を測定する測光手段を備えた画像記録装置を管理する管理装置であって、
前記画像記録装置に対して、前記光源を全ての階調の画像出力信号に基づいて発光させて前記測光手段にて測光させるよう指示し、前記測光手段での各階調毎の光量値の情報を取得する第１の取得手段と、
前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する第２の取得手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行い、前記光量を補正する光量補正手段と、前記光量補正手段での補正結果情報を前記画像記録装置に対して転送し、前記画像記録装置内の情報を更新するように指示する転送制御手段と、
を含むことを特徴とする管理装置。
【請求項８】
請求項１乃至請求項５のうちいずれか一項に記載の画像記録装置と、
前記画像記録装置と通信網を介して通信可能に形成され、請求項６又は請求項７に記載の管理装置と、
を含むことを特徴とするカラープルーフ作成システム。
【請求項９】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々順次に送信する画像処理装置と、
前記画像処理装置と前記通信網を介して通信可能とされ、前記各色版データに基づいて、カラープルーフを各々作成出力する、請求項１乃至請求項５のうちいずれか一項に記載の画像記録装置と、
を含むことを特徴とするカラープルーフ作成システム。
【請求項１０】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々順次に送信する画像処理装置と、
前記画像処理装置と前記通信網を介して通信可能とされ、前記各色版データに基づいて、カラープルーフを各々作成出力する、請求項１乃至請求項５のうちいずれか一項に記載の画像記録装置と、
前記画像記録装置と前記通信網を介して通信可能とされ、前記画像記録装置を管理するホストと、
を含むことを特徴とするカラープルーフ作成システム。
【請求項１１】
画像を編集する画像編集用の一又は複数の情報端末を含むデザインシステムと、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、
前記画像処理装置と前記通信網を介して通信可能とされ、前記各色版データに基づいて、カラープルーフを各々作成出力する、請求項１乃至請求項５のうちいずれか一項に記載の画像記録装置と、
前記画像記録装置と前記通信網を介して通信可能とされ、前記画像記録装置を管理するサブホストと、
前記サブホストと前記通信網を介して通信可能とされ、前記サブホストを管理するホストと、
を含むことを特徴とするカラープルーフ作成システム。
【請求項１２】
光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、
前記光源を全ての階調の画像出力信号に基づいて発光させて、前記測光手段にて測光したときの各階調毎の光量値を求める第１の光量測光処理手段と、
前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を求める第２の光量測光処理手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって前記光量を補正する光量補正手段と、
を含むことを特徴とするコンピュータプログラム製品。
【請求項１３】
光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、
前記光源を全ての階調の画像出力信号に基づいて発光させて、前記測光手段にて測光したときの各階調毎の光量値を求める第１の光量測光処理手段と、
前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を求める第２の光量測光処理手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって前記光量を補正する光量補正手段と、
を含むことを特徴とするコンピュータプログラム製品。
【請求項１４】
光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、
前記画像記録装置に対して、前記光源を全ての階調の画像出力信号に基づいて発光させて前記測光手段にて測光させるよう指示し、前記測光手段での各階調毎の光量値の情報を取得する第１の取得手段と、
前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する第２の取得手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって前記光量を補正する光量補正手段と、
を含むことを特徴とするコンピュータプログラム製品。
【請求項１５】
光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、
前記画像記録装置に対して、前記光源を全ての階調の画像出力信号に基づいて発光させて前記測光手段にて測光させるよう指示し、前記測光手段での各階調毎の光量値の情報を取得する第１の取得手段と、
前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する第２の取得手段と、
前記露光前光量値と前記光量値とに基づいて、測光による光量の誤差を測光係数として算出する測光係数算出手段と、
前記測光係数算出手段にて算出された測光係数に基づいて、前記画像の露光時の画像出力信号に対して補正演算を行うことによって前記光量を補正する光量補正手段と、
を含むことを特徴とするコンピュータプログラム製品。
【請求項１６】
光量変調可能な光源により感光材料を露光して画像を記録する画像記録装置の光量補正方法であって、
前記光源を全ての階調の画像出力信号に基づいて発光させて測光手段にて測光したときの各階調毎の光量値を抽出するステップと、
前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を抽出するステップと、
前記露光前光量値と前記光量値とに基づいて、測光による光量の誤差を測光係数として算出し、当該測光係数に基づいて、前記光量を補正するステップと、
を含むことを特徴とする画像記録装置の光量補正方法。
【請求項１７】
光量変調可能な光源により感光材料を露光して画像を記録する画像記録装置の光量補正方法であって、
前記光源を全ての階調の画像出力信号に基づいて発光させて測光手段にて測光したときの各階調毎の光量値を抽出するステップと、
前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を抽出するステップと、
前記露光前光量値と前記光量値とに基づいて、測光による光量の誤差を測光係数として算出し、当該測光係数に基づいて、前記光量を補正するステップと、
を含むことを特徴とする画像記録装置の光量補正方法。
【発明の詳細な説明】
【０００１】
【発明の属する技術分野】
本発明は、画像記録装置、管理装置、カラープルーフ作成システム、コンピュータプログラム製品、及び画像記録装置の光量補正方法に関し、特に、ＲＩＰ（ラスター・イメージ・プロセッサ）または網点変換処理装置で処理された網点画像データに基づき、波長の異なる複数の光源によってカラー感光材料を所定階調で感光させることで印刷物の仕上がりを事前に確認するためのカラープルーフを作成するにあたり、環境変動等による光量変化を補正することによって、安定に慣行させるものに関する。
【０００２】
【従来の技術】
一般に、カラー印刷物を作成する際には、原稿フィルムの段階で色校正を行うことが必要とされる場合があり、このような場合には、Ｃ（シアン）版、Ｍ（マゼンタ）版、Ｙ（イエロー）版、及び、Ｋ（ブラック）版に色分解された各色分解網原稿フィルムを使って校正物（カラープルーフ）を作成し、本番の印刷版を作成する前に、原稿フィルムのレイアウトに間違いがないか、色の間違いがないか、文字の間違いがないか等を検査し、印刷物の仕上がりを事前に確認するようにしている。
【０００３】
さらに、近年においては、コンピュータによるフルデジタルの画像作成、編集を行う工程では、カラープルーフの作成は、ＤＤＣＰ（Ｄｉｒｅｃｔ　Ｄｉｇｉｔａｌ　Ｃｏｌｏｒ　Ｐｒｏｏｆ）、乃至は、ＤＣＰ（Ｄｉｇｉｔａｌ　Ｃｏｌｏｒ　Ｐｒｏｏｆ）と呼ばれる直接カラー画像出力を行うシステムが求められている。
【０００４】
このようなＤＤＣＰは、コンピュータ上で加工されたデジタル画像データからイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったり等する前に、コンピュータ上で加工されたデジタル画像が示す出力対象を再現するカラープルーフを作成し、その絵柄、色調、文章文字等の確認を行うものである。
【０００５】
具体的には、低コストで更に網点画像の確認ができる、銀塩カラー感光材料を利用したＤＤＣＰ（画像記録装置）が普及し始めており、銀塩カラー感光材料を利用した方式は、例えば、Ｒ、Ｇ、Ｂ等の波長の異なる複数の光の組み合わせからなる光点を露光して、上述したＣ、Ｍ、Ｙ、Ｋの各ドットを発色させ、網点画像を形成するものである。
【０００６】
このような、半導体レーザー、発光ダイオードなどの光源により露光を行うことで画像を記録材上に記録する画像記録装置では、環境変動や経時変動により光量が変動するために、画像が劣化してしまうため、画像記録装置にて露光出力する際に、光源からの光量を測定し、画像出力信号に対して補正を行うことが行われている。
【０００７】
【発明が解決しようとする課題】
しかしながら、露光する前に光源を光らせて測光を行うことにより補正演算を行う場合には、多段の出力信号に対する出力光量が線形に推移しない場合は、すべての変調信号に対する光量を測光し、補正を行っていたために、多くの時間を要し、出力時間が長くなるという問題があった。
【０００８】
特に、近年、出力時間短縮の観点からマルチビームを搭載するタイプの画像記録装置が登場しているが、このようなマルチビームの場合には、光源の数が増大するために、前記従来の補正医演算手法では、補正すべき光源が増えてしまい、一層測光演算に時間がかかってしまうという問題があった。
【０００９】
本発明は、上記事情に鑑みてなされたものであり、その目的とするところは、光量補正を行う際に多くの時間を要せず、マルチビームなどによる光源の増加に対しても短時間に精度良く光量の補正を行い得、安定した画像濃度を出力することのできる画像記録装置、管理装置、カラープルーフ作成システム、コンピュータプログラム製品、及び画像記録装置の光量補正方法を提供する。
【００１０】
【課題を解決するための手段】
上記目的を達成するために、請求項１に記載の発明に係る画像記録装置は、光量変調可能な光源により感光材料を露光して画像を記録する画像記録装置であって、前記光源の光量を測定する測光手段と、前記光源を全ての階調の画像出力信号に基づいて発光させて、前記測光手段にて測光したときの各階調毎の光量値を求める第１の光量測光処理手段と、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を求める第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって各階調における前記光量を補正する光量補正手段と、を含むことを特徴としている。
【００１１】
また、請求項２に記載の発明に係る画像記録装置は、光量変調可能な光源により感光材料を露光して画像を記録する画像記録装置であって、前記光源の光量を測定する測光手段と、前記光源を全ての階調の画像出力信号に基づいて発光させて、前記測光手段にて測光したときの各階調毎の光量値を求める第１の光量測光処理手段と、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を求める第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、を含むことを特徴としている。
【００１２】
また、請求項３に記載の発明に係る画像記録装置は、前記光源は、複数個有し、前記光量補正手段は、複数個の光源の各々の光量に対する光量補正を各々行うことを特徴としている。
【００１３】
また、請求項４に記載の発明に係る画像記録装置は、前記光源は、ＬＥＤ光源を使用することを特徴としている。
【００１４】
また、請求項５に記載の発明に係る画像記録装置は、前記第１の光量測光処理手段による測光処理は、定期的な時間あるいは装置立ち上げ時に実施されることを特徴としている。
【００１５】
また、請求項６に記載の発明に係る管理装置は、光量変調可能な光源の光量を測定する測光手段を備えた画像記録装置を管理する管理装置であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、前記光量補正手段での補正結果情報を前記画像記録装置に対して転送し、前記画像記録装置内の情報を更新するように指示する転送制御手段と、を含むことを特徴としている。
【００１６】
また、請求項７に記載の発明に係る管理装置は、光量変調可能な光源の光量を測定する測光手段を備えた画像記録装置を管理する管理装置であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、前記光量補正手段での補正結果情報を前記画像記録装置に対して転送し、前記画像記録装置内の情報を更新するように指示する転送制御手段と、を含むことを特徴としている。
【００１７】
また、請求項８に記載の発明に係るカラープルーフ作成システムは、上述の画像記録装置と、前記画像記録装置と通信網を介して通信可能に形成され、上述の管理装置と、を含むことを特徴としている。
【００１８】
また、請求項９に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々順次に送信する画像処理装置と、前記画像処理装置と前記通信網を介して通信可能とされ、前記各色版データに基づいて、カラープルーフを各々作成出力する、上述の画像記録装置と、を含むことを特徴としている。
【００１９】
また、請求項１０に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかの一又は複数の画像記録装置と、前記画像記録装置と前記通信網を介して通信可能とされ、前記画像記録装置を管理するホストと、を含むことを特徴としている。
【００２０】
また、請求項１１に記載の発明に係るカラープルーフ作成システムは、画像を編集する画像編集用の一又は複数の情報端末を含むデザインシステムと、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、前記画像処理装置と前記通信網を介して通信可能とされ、前記各色版データに基づいて、カラープルーフを各々作成出力する、上述の画像記録装置と、前記画像記録装置と前記通信網を介して通信可能とされ、前記画像記録装置を管理するサブホストおよび前記サブホストと前記通信網を介して通信可能とされる前記サブホストを管理するホストを含むセンターシステムと、を含むことを特徴としている。
【００２１】
また、請求項１２に記載の発明に係るコンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記光源を全ての階調の画像出力信号に基づいて発光させて、前記測光手段にて測光したときの各階調毎の光量値を求める第１の光量測光処理手段と、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を求める第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、を含むことを特徴としている。
【００２２】
また、請求項１３に記載の発明に係るコンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記光源を全ての階調の画像出力信号に基づいて発光させて、前記測光手段にて測光したときの各階調毎の光量値を求める第１の光量測光処理手段と、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を求める第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、を含むことを特徴としている。
【００２３】
また、請求項１４に記載の発明に係るコンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、を含むことを特徴としている。
【００２４】
また、請求項１５に記載の発明に係るコンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行うことによって前記光量を補正する光量補正手段と、を含むことを特徴としている。
【００２５】
また、請求項１６に記載の画像記録装置の光量補正方法は、光量変調可能な光源により感光材料を露光して画像を記録する画像記録装置の光量補正方法であって、前記光源を全ての階調の画像出力信号に基づいて発光させて測光手段にて測光したときの各階調毎の光量値を抽出するステップと、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を抽出するステップと、前記露光前光量値と前記光量値とに基づいて、測光による光量の誤差を測光係数として算出し、当該測光係数に基づいて、前記光量を補正するステップと、を含むことを特徴としている。
【００２６】
また、請求項１７に記載の画像記録装置の光量補正方法は、光量変調可能な光源により感光材料を露光して画像を記録する画像記録装置の光量補正方法であって、前記光源を全ての階調の画像出力信号に基づいて発光させて測光手段にて測光したときの各階調毎の光量値を抽出するステップと、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を抽出するステップと、前記露光前光量値と前記光量値とに基づいて、測光による光量の誤差を測光係数として算出し、当該測光係数に基づいて、前記光量を補正するステップと、を含むことを特徴としている。
【００２７】
【発明の実施の形態】
以下、本発明の好適な実施の形態の一例について、図面を参照して具体的に説明する。
【００２８】
［第１の実施の形態］
（画像記録装置の全体構成）
先ず、本実施の形態の画像記録装置の全体の概略構成について、図１を参照して説明する。図１は、本実施の形態の画像記録装置の全体の概略構成を示す機能ブロック図である。
【００２９】
本実施の形態の画像記録装置２０は、複数の各光源により露光して感光材料に画像を記録するものであり、図１に示すように、ＲＩＰなどの例えばＣ、Ｍ、Ｙ、Ｋの網点画像データを受信する通信制御部２１と、前記通信制御部２１を介して受信された網点画像データを（少なくとも１ページ分）格納する情報一時格納部２２と、前記情報一時格納部２２の網点画像データに基づいて、走査線本数毎（１主走査分）の露光用フォーマットに変換し、変換された網点画像データを、Ｙ，Ｍ，Ｃ，ＢＫの全色１枚分の全データからなる画素データを走査線本数毎の露光用フォーマットで読み出し、全色のデータを同時（点順次）に出力することで、レーザー露光を行う露光部２３と、露光部２３からの感光材料などのシートを現像処理する現像部２４と、現像部２４にて現像処理されたカラー画像が形成された印刷用紙をカラープルーフとして排紙出力する排紙部２５と、各種操作を行なうための表示部２６及び操作部２７と、光源による露光により再現可能な再現色に応じた光源の露光量（発光強度）を規定したカラーコレクションテーブル２８ａや光量測光テーブル２８ｂ・出力テーブル２８ｃ（詳細は後述する）などを記憶した記憶部２８と、露光部２３にて露光される光源の光量を補正するための各種補正演算処理を行う補正処理部２９と、これら各部の制御を司る制御部３０と、を含んで構成される。
【００３０】
情報一時格納部２２は、ＲＩＰ等から各色毎に転送されてきた網点画像データを、所定の領域に一時格納し、さらに、制御部３０により、走査線本数毎（１主走査分）の露光用フォーマットに変換された網点画像データをＹ，Ｍ，Ｃ，ＢＫ全色１枚分、他の所定の領域に一時格納する。
【００３１】
露光部２３内には、光源から発光される露光量を測定する測定ユニットＵ１が配設されており、測光ユニットＵ１にて測定された光量値に関するデータは、制御部３０を介して記憶部２８内の特定の領域に格納され、前記補正処理部２９などの補正演算処理に利用される。
【００３２】
ここで、詳細は後述するが、定期的な時間ないしは装置立ち上げ時において測光する場合には、すべての階調において各々光源を発光させて、前記測定ユニットＵ１にて測光したときの各階調値の光量値を前記光量測光テーブル２８ｂとして記憶部２８に格納する。一方、露光前に測光する場合には、特定の１つの階調の段階を選択して光源を発光させ、前記測定ユニットＵ１にて測光したときの露光前光量値を記憶部２８の特定の領域に格納する。
【００３３】
表示部２６は、画像記録装置２０の状況や各種情報を表示する表示手段（液晶パネル）であるとともに、各種設定や操作のための情報を入力する表示操作手段（タッチパネル）でもある。前記操作部２７及び表示部２６にて設定されるパラメータ（設定情報）には、画像記録装置２０の場合、出力解像度、網点情報、ポジネガ設定、各種色調整用の各種テーブル情報、ログ等がある。
【００３４】
記憶部２８には、カラーコレクションテーブル２８ａ、光量測光テーブル２８ｂ、出力テーブル２８ｃなどが格納される。なお、例えばカラーコレクションテーブル２８ａは、特定のアクセス権限をもつ者は、条件内容等を表示部２６および操作部２７を利用することによって更新したり設定することができるようになっている。さらにまた、特定の紙の種類やインクの種類、印刷条件の違いに応じた複数の各テーブルを用意しておくことが好ましい。
【００３５】
前記カラーコレクションテーブル２８ａの各色と露光量情報との対応関係から、露光用フォーマットのＹ，Ｍ，Ｃ，Ｋのデジタル網点画像データを、Ｂ、Ｒ、Ｇの露光強度データに変換する。その際、画素毎に、印刷物のＹ，Ｍ，Ｃ，ＢＫの網点画像データを、Ｂ、Ｒ、Ｇのレーザ強度の組み合わせに変換する。
【００３６】
補正処理部２９は、記憶部２８のカラーコレクションテーブル２８ａ、光量測光テーブル２８ｂ、出力テーブル２８ｃなどを利用して、露光部２３内の複数の各光源にて露光すべき光量を算出するための各種補正演算処理を行うため各種演算プログラム群などからなる。
【００３７】
制御部３０は、情報一時格納部２２のＹ，Ｍ，Ｃ，ＢＫの全データからなる画素データを走査線本数毎の露光用フォーマットで読み出し、全色のデータを同時（点順次）に出力することで、感光材料に画像を露光部２３にて露光するように制御する。
【００３８】
前記制御部３０により露光部２３は、感光材料としてロール状のハロゲン化銀カラー写真感光材料をセットして、シート状に切断した後、網点画像データに応じて例えばレーザ光等により露光する。
【００３９】
この際、露光部２３内のＲＧＢ光源から出力される露光量は、カラーコレクションテーブル２８ａの光量値に対して前記補正処理部２９により補正（測光係数などの補正処理の詳細は後述する）を行い補正光量値を算出し、前記光量測光テーブル２８ｂにより当該補正光量値に対応するＬＵＴ値を抽出し、その抽出されたＬＵＴ値に基づいて書き換えられた出力テーブル２８ｃの各再現色毎の各ＹＭＣのＬＵＴ値に基づいて決定される。
【００４０】
そして、前記制御部３０は、前記露光部２３にて露光された感光材料（記録材）を、現像部２４にて現像処理を行い、排紙部２５から出力してカラープルーフを作成するよう制御する。
【００４１】
上述のような構成を有する画像記録装置２０において、概略以下のように作用する。すなわち、ＲＩＰ等により作成された各色（Ｙ、Ｍ、Ｃ、ＢＫ）の網点画像データは、通信制御部２１を介して情報一時格納部２２に一時的に記憶するようになっている。情報一時格納部２２で転送速度の変動をアキュームしながら、ドットクロック等によりデータを全色同時に読み出し、カラーコレクションテーブル２８ａなどのＬＵＴを含む記憶部２８に送る。
【００４２】
より詳細には、各色の網点画像データは、画像記録装置２０において、走査線本数毎（１主走査分）の露光用フォーマットに変換され、画像記録装置２０の情報一時格納部２２の所定の領域に格納される。この際、網点画像データ（印刷版に対応したＹ，Ｍ，Ｃ，ＢＫにそれぞれ分離されたデータ）は、露光部２３の複数の光源のビーム本数の１走査分のデータの並びに並び換え変換される。
【００４３】
そして、走査線本数毎（１主走査分）の露光用フォーマットに変換された網点画像データをＹ，Ｍ，Ｃ，ＢＫ全色１画面分（１枚のカラープルーフを作成するのに必要な全色１枚分の網点画像データ）ずつ蓄積した後、Ｙ，Ｍ，Ｃ，ＢＫの全データからなる画素データを走査線本数毎の露光用フォーマットで読み出し、全色のデータを同時（点順次）に出力する。
【００４４】
制御部３０は、入力されたＹ，Ｍ，Ｃ，ＢＫの全データからなる画素データを走査線本数毎の露光用フォーマットにした画像データに基づき、網点の画素数をカウントし、このカウントは、例えば、１ライン分または１頁分の網点画像データの画素について続けて行う。そして、その網点画像データについて主走査方向のドット数や副走査方向のドット数（ライン数）をカウントし、カウントされたカウント値を参照して画像サイズを算出しつつ、制御部３０は感光材料に画像を露光部２３にて露光するように制御する。
【００４５】
ここに、露光前においては、測光ユニットＵ１による特定の階調の値に対してのみ各光源に対する測光が行われ、この測定値やカラーコレクションテーブル２８ａの光量値をもとに、補正処理部２９が光量測定テーブル２８ｂないしは出力テーブル２８ｃの書き換え処理を行い補正を行う。そして、補正が行われた後の出力テーブル２８ｃなどの階調値により光源のドライブ電流値などが決定されて光源による露光が行われることとなる。
【００４６】
このようにして、画像記録装置２０では、感光材料としてロール状のハロゲン化銀カラー写真感光材料をセットして、シート状に切断した後、並び替えられた網点画像データに応じて露光部２３にてレーザ光で露光し、その後、現像部２４で現像処理し、排紙部２５から排紙されてカラープルーフが作成される。
【００４７】
このように、カラー印刷物を作成するに当たって、様々な形式で記述されたデジタル画像データからラスターイメージフォーマットの画像データを作成し印刷版を作成する前に、データ処理部１２（図１２参照）でデジタル画像データからラスターイメージフォーマットの画像データを生成し、記憶部２８を利用して、画像記録装置２０に適合するフォーマットの画像データに並び替え、この並び替えられた画像データに基づいて画像を記憶し、濃度値に基づく各種濃度補正などを行い、その後、露光量に変換して露光を行い、様々な形式で記述されたデジタル画像データから作成される印刷版で印刷されて得られる画像をシミュレーションするカラープルーフを作成し、デジタル画像データが示す画像にレイアウト、色、文字等の誤りがあるか否かなどの誤りの有無を検査し、印刷物の仕上がりを事前に確認できる。
【００４８】
本実施の形態では、光源の光量が環境や経時変化によって光源の光量に変動が生じた場合に、多段の出力変調信号のうち１段のみの出力変調信号の光量を測光ユニットＵ１により測光し、すべての出力光量に対して補正演算を行うことで、前記補正演算を含む画像出力の全行程にかかる時間を短縮化することを特徴とするものであるが、このような補正演算を行うための補正処理の具体的な内容については、後述することとし、その前に、前記露光部内の光学ユニットなどの具体的構成とともに画像記録装置の全体の機械的構成並びに制御系の構成について以下に説明することとする。
【００４９】
（画像記録装置の機械的構成）
ここで、画像記録装置２０の機械的構成について、図３を用いて説明する。図３は、画像記録装置の露光ユニットおよび現像ユニットの内部構成を表す断面図である。
【００５０】
画像記録装置２０は、外観上の機械的構成として、図３に示すように、その構成要素を大別すると、記録材を構成する感光材料に対して画像露光処理を行う露光ユニット４０と、この露光ユニット４０によって露光処理された感光材料に対して現像処理を行う現像処理ユニット５０とから構成されている。
【００５１】
因みに、ここにおいて、露光ユニット４０には、図１に示す通信制御部２１、情報一時格納部２２、露光部２３、表示部２６、操作部２７、記憶部２８、補正処理部２９、制御部３０が含まれており、現像処理ユニット５０には、図１に示す現像部２４、排紙部２５が含まれている。
【００５２】
図３に説明を戻すと、露光ユニット４０の上部には、２つの紙装填部４２、４２´と操作部２７とが配置されている。尚、操作部２７は、液晶パネルの上にタッチパネルを積載した構造となっている。現像処理ユニット５０の側面には、処理された感光材料を排出する排紙部２５が設けられている。
【００５３】
図３に示すように、露光ユニット４０の内部には、給紙部４１、主走査部４６、副走査部４７、排紙部４８及びアキューム部４９が設けられている。
【００５４】
給紙部４１は、２つの紙装填部４２、４２´と、紙装填部４２、４２´から搬送された感光材料を主走査部のドラム４６ａへ搬送する下給紙部４３とから構成されている。紙装填部４２は、部屋構造となっており、内部にロール状の感光材料を収納した専用のカートリッジがセットされ、紙充填部４２下部にて１つにペーパー搬送路Ｇ１、Ｇ１´、Ｇ２を介して主走査部４６のドラム４６ａに対して感光材料が供給される。
【００５５】
主走査部４６には、感光材料が外表面に設けられるドラム４６ａが回転可能に設けられ、給排紙ローラ４６ｂにて感光材料を圧着する。
【００５６】
副走査部４７には、ドラム４６ａに対向して光学ユニット４７ａが配置され、光学ユニット４７ａは副走査部４７を構成する不図示の移動機構（例えば移動ベルト、ガイドレール、プーリ、副走査モータなどからなる）によりドラム軸と平行に移動可能になっている。光学ユニット４７ａは、デジタル画像信号を受けてドラム４６ａに吸着された感光材料に光ビームで露光して画像の書き込みを行う。光学ユニット４７ａには、レッドＬＥＤユニットを構成する光源であるＬＥＤ４７Ｒ、グリーンＬＥＤユニットを構成する光源であるＬＥＤ４７Ｇ、ブルーＬＥＤユニットを構成する光源であるＬＥＤ４７Ｂが配置されている。ＬＥＤ４７Ｒ、ＬＥＤ４７Ｇ及びＬＥＤ４７Ｂからの光ビームは、ミラー４７ｅ、４７ｆ、４７ｇを介して、集光レンズ４７ｈからドラム４６ａ上の感光材料に画像を露光する。露光シャッター４７ｉは露光ソレノイド４７ｊにより開閉することで、露光開始／終了時に光路の開閉を行う。
【００５７】
光学ユニット４７ａのドラム軸方向には、副走査基準位置検出センサＳ１１、副走査書き込み位置検出センサＳ１２及び副走査オーバーラン位置検出センサＳ１３（いずれも不図示）が配置され、副走査基準位置検出センサＳ１１の副走査基準位置検出で光学ユニット３２が停止し、この副走査基準位置から副走査が開始され、画像サイズに対応した移動量で副走査が停止され、さらに前記副走査基準位置へ移動して復帰させることで副走査が行われる。すなわち、図４（Ａ）に示すように、ドラム４６ａの軸方向に沿って光学ユニット４７ａが移動するとにより副走査が行われる。
【００５８】
ここで、図４（Ｂ）に示すように、光源からの露光量を測定する測光ユニットＵ１は、光学ユニット４７ａから出射される光ビームを内部にビームを測定するビーム測光機Ｕ１ａを有し、前記光学ユニット４７ａからの各光源の露光量を測定可能な位置（例えば光学ユニットとほぼ同じ高さ位置でドラム４７ａの表面に近接する位置にて測定面がドラム４６ａの回転軸方向を向いた状態）にて配設される。そして、制御部３０は、光学ユニット４７ａ内の特定の光源について、測光ユニットＵ１のビーム測光機Ｕ１ａにて測定された露光量データが対応するように制御し、当該測光結果を前記制御部３０に接続された前記記憶部１８の特定領域に格納する。なお、測光ユニットＵ１により測光が行われるのは、露光前と装置の立ち上げ時や定期的な期間とでは異なるが、この説明に関しては補正演算の説明などとともに後述の「本実施の形態の特徴的構成」の項目にて説明するのでここでは割愛する。
【００５９】
図３に説明を戻すと、排紙部４８は書き込みが終了した感光材料をドラム４６ａから剥離して、これを現像処理ユニット５０へ送り込む。このとき、現像処理ユニット５０の搬送速度の方が露光ユニット４０の排紙速度よりも遅い場合には、排紙速度が高速のまま感光材料をアキューム部４９へ送り込み、感光材料をアキューム部４９に垂れ下がるようにしてアキュームさせて、現像処理ユニット５０との搬送タイミングを図り露光ユニット４０の処理能力を落とさないようにしている。
【００６０】
（光学ユニットの構成）
次に、光学ユニット４７ａの構成例について、図５を参照して説明する。光学ユニット４７ａは、図５に示すように、赤色光源のＬＥＤ４７Ｒ、緑色光源のＬＥＤ４７Ｇ、青色光源のＬＥＤ４７Ｂを有し、ＬＥＤ４７Ｇは、緑色光を発生して、感光材料のマゼンタ発色層（Ｍ層）を感光させ、ＬＥＤ４７Ｒは、赤色光を発生して、感光材料のシアン発色層（Ｃ層）を感光させ、ＬＥＤ４７Ｂは、青色光を発生して、感光材料のイエロー発色層（Ｙ層）を感光させる。
【００６１】
ＬＥＤ４７Ｇは、緑色光源４７Ｇａと変調信号に応じて光量変調を行うための変調手段４７Ｇｂを備えており、ＬＥＤ４７Ｒも同様に赤色光源４７Ｒａおよび変調手段４７Ｒｂを有し、ＬＥＤ４７Ｂも同様に青色光源４７Ｂａおよび変調手段４７Ｒｂを有する。
【００６２】
このように、ＬＥＤ４７Ｇ・ＬＥＤ４７Ｒ・ＬＥＤ４７Ｂは、変調信号（画像出力信号）に応じて光量変調されるようになっており、緑Ｇ，赤Ｒ，青Ｂの３波長のビームをそれぞれ発生して、感光材料のＣＭＹ層を感光させる構成としてある。なお、変調手段としては、例えば音響光学変調素子等であることが好ましい。
【００６３】
光量変調された光ビームは、ミラー４７ｅ、４７ｆ、４７ｇを介して、集光レンズ４７ｈによりドラム４６ａ上に固定された感光材料Ｐに投影される。ドラム４６ａは、その回転軸周りに回転駆動されるようになっており、これにより主走査が行われる一方、光学ユニット４７ａがドラム４６ａの回転軸と平行な方向に駆動にされて副走査が行われる。
【００６４】
ところで、図５（Ａ）の例では、説明の都合上煩雑となるので各波長毎に１本のビームで露光走査させる場合を説明したが、本実施の形態では、実際には、図５（Ｃ）に示すように、各波長毎に複数の光源を用いて露光走査させる構成である。
【００６５】
具体的には、図５（Ｂ）に示すように、ＬＥＤ４７Ｒには複数個の赤色ダイオードの出射面が円弧上に並べて設けられている。そして、各赤色ダイオードは、画像信号に応じて光量変調されたビームをそれぞれ放射し、放射されたビームは、レンズ群４７ｋａと、シリンドリカルレンズ群４７ｋｂを具備する入射光学系４７ｋに入射し、レンズ群４７ｋａが、複数本のビームを、互いに平行になるようにし、シリンドリカルレンズ群４７ｋｂが、レンズ群４７ｋａで互いに平行になった複数本のビームのそれぞれのビーム形状を整え、ミラー４７ｅへ射出する。他の、ＬＥＤ４７Ｇ、ＬＥＤ４７Ｂについても同様の構成を有する。
【００６６】
縮小光学系４７ｍは、各複数本の緑色光、赤色光及び青色光のビーム間隔を縮小し、集光レンス４６ａに導き、ドラム４６ａの外周面上に密着した感光材料Ｐの感光面に略結像させる。
【００６７】
（画像記録装置の制御系の構成）
次ぎに、当該画像記録装置（カラープルーフ作成装置）２０の制御系の構成について、図６を用いて説明する。図６に、制御系のブロック構成図を示す。
【００６８】
制御系４００は、図６に示すように、ＲＩＰ１２ａなどからの網点画像データを記憶した情報一時格納部２２からの画像データの各色成分を、設定されたチャンネルの各光源の光量に変換するためのＬＵＴなど各種ＬＵＴ群を備えた記憶部２８に含まれるＬＵＴ部２８Ａと、露光ユニット４０を構成する各部（センサ類およびアクチュエータ群）と、これらの制御を司る制御部３０ａを有する。
【００６９】
制御部３０ａは、ＣＰＵ４０１、ＲＡＭ４０２及びＲＯＭ４０３を有し、Ｉ／Ｏポート４０４、４０５を介してセンサ類及びアクチュエータ群に接続され、センサ類からの情報に基づきアクチュエータ群を制御する。
【００７０】
ＲＯＭ４０３には、装置内の各種デバイスを初期化するためのデータが格納され、ＲＡＭ４０２には、装置固有の初期値及び補正値のデータが格納される。
【００７１】
センサ類としては、カートリッジ有無センサＳ１、Ｓ１´、カバー閉検出センサＳ２、Ｓ２´、カバーロック検出センサＳ３、Ｓ３´、ペーパーエンドセンサＳ４、Ｓ４´、給紙ローラ圧着位置検出センサＳ５、Ｓ５´、給紙ローラ解除位置検出センサＳ６、Ｓ６´、ドラム給排紙ローラ圧着位置検出センサＳ７、ドラム給排紙ローラ解除位置検出センサＳ８、ペーパー先端基準位置センサＳ９、ペーパー送り量検出センサＳ１０、副走査基準位置検出センサＳ１１、副走査書込み位置検出センサＳ１２、ロータリーエンコーダー３７、副走査オーバーラン位置検出センサＳ１３、ペーパーエンド検出センサＳ１５、Ｓ１５´出口シャッター開検出センサＳ１６、剥離爪圧着センサＳ２１、剥離爪中間センサＳ２２、剥離爪解除センサＳ２３、ペーパー出口センサＳ２４、カッターホームポジション検出センサＳ２５、Ｓ２５´、カッターエンドポジション検出センサＳ２６、Ｓ２６´、剥離ジャム検出センサＳ３０、アキューム開センサＳ４０、アキューム閉センサＳ４１、給紙シャッター開センサＳ４３、Ｓ４３´が接続される。
【００７２】
アクチュエータ群としては、カバーロックモーターＭ１、Ｍ１´、給紙ローラ圧着解除モーターＭ２、Ｍ２´、給紙モーターＭ３、Ｍ３´、カッターモーターＭ２０、Ｍ２０´、ドラム給排紙モーターＭ４、ドラム給排紙ローラ圧着解除モーターＭ５、ドラム回転モーターＭ６、副走査モーターＭ７、露光シャッターソレノイド３３３、搬出モーターＭ８、出口シャッターモーターＭ１０、剥離爪モーターＭ２１、アキューム開閉モーターＭ３０、給紙シャッターモーターＭ３１、Ｍ３１´が接続され、それぞれドライバＤ１、Ｄ１´、Ｄ２、Ｄ２´、Ｄ３、Ｄ３´、Ｄ２０、Ｄ２０´、Ｄ４、Ｄ５、Ｄ６、Ｄ７、Ｄ３３３、Ｄ８、Ｄ１０、Ｄ２１、Ｄ３０、Ｄ３１、Ｄ３１´を介して駆動される。
【００７３】
表示部２６は、液晶パネル２６ＡがドライバＤ２０により制御され、画像記録装置の運転状態を表示する。また、タッチパネル２６Ｂからの操作による指令は、Ａ／Ｄ変換部４２０によりデジタル情報としてＣＰＵ４０１に送られる。
【００７４】
表示部２６は、液晶パネル２６Ａとタッチパネル２６Ｂとを有し、装置本体２０ａの外面に設けられた、各種設定や操作のための情報を入力する入力手段であるとともに、装置の状況や各種情報を表示する表示手段でもある。この表示部２６は、他のＬＥＤ等からなる表示手段、入力キー等からなる入力手段から構成してもよい。この表示部２６から操作者が入力することにより、各種設定・変更することができるよう構成している。
【００７５】
上記のように構成される制御系４００において、概略以下のように作用する。すなわち、デジタル画像データは、外部接続されたＲＩＰ１２ａから画像データＩ／Ｆ部２２３を介してデータバッファ２２１（２２１Ｙ、２２１Ｍ、２２１Ｃ、２２１Ｂｋ）に送られる。一方、ロータリーエンコーダー３７からの感光材料送り情報に基づくＰＬＬ４１２の出力信号に同期させて、ドットクロック生成部４１３のドットクロックでデジタル画像情報をデータバッファ２２１からＬＵＴ（ルックアップテーブル）４１４及びＤ／Ａ変換部４７０Ｒ、４７０Ｇ、４７０Ｂを介してドライバＤ４７０、Ｄ４７１、Ｄ４７２に与え、これらドライバＤ３２０、Ｄ３２１、Ｄ３２２によりレッドＬＥＤユニットのＬＥＤ４７Ｒ、グリーンＬＥＤユニットのＬＥＤ４７Ｇ、ブルーＬＥＤユニットのＬＥＤ４７Ｂをそれぞれ駆動する。
【００７６】
ここで、ＲＩＰ１２ａにより作成された各色（Ｃ、Ｍ、Ｙ、ＢＫ）の網点画像データは画像データＩ／Ｆ部２２３に転送され、そこでラスターイメージフォーマットから各色数本の走査線毎の露光用フォーマットにデータ変換されてデータバッファ２２１（２２１Ｙ、２２１Ｍ、２２１Ｃ、２２１Ｂｋ）に蓄積されるようになっている。
【００７７】
この画像データのフォーマットの変換は、例えば、同時に各色１０本の走査線を走査する場合、ラスターイメージフォーマットのビットマップデータの画像データを並べ替え、１０ライン並列に読み出すことにより行う。
【００７８】
そして、データバッファ２２１に１枚分のデジタル網点画像データを蓄積した後、以下に示す全色同時露光を行う。
【００７９】
すなわち、データバッファ２２１に１枚分の画像データが蓄積された後、データバッファ２２１で転送速度の変動をアキュームしながら、ドットクロック生成部４１３で生成したドットクロックでデータバッファ２２１の画像データを全色同時に読み出し、ＬＵＴ部２８Ａに送る。
【００８０】
ＬＵＴ部２８Ａは、露光による再現色、すなわちＹ（イエロー）、Ｍ（マゼンタ）、Ｃ（シアン）、Ｂ（ブルー）、Ｇ（グリーン）、Ｒ（レッド）、ＧＹ（グレイ）、Ｗ（ホワイト）、及ＢＫ（ブラック）と、それら再現色の各々に対しての光源の光すなわちＲ（レッド）、Ｇ（グリーン）、Ｂ（ブルー）の強度組成との対応を規定するＬＵＴ（ルックアップテーブル）などデータを記憶している。そして、送られた露光用フォーマットのＹ、Ｍ、Ｃ、ＢＫのデジタル網点画像データをＲ、Ｇ、Ｂの露光強度データに変換する。
【００８１】
その際、画素毎に、印刷物のＹ、Ｍ、Ｃ、ＢＫの網点画像データをＲ、Ｇ、ＢのＬＥＤ光強度の組み合わせに変換する。また、制御部３０ａのＣＰＵ４０１が、各種センサ類からの感光材料の先端位置の情報及びドラムの位置を検出する図示省略のロータリーエンコーダーからのパルス信号のカウント値に基づいて、光学ユニットから射出されるＬＥＤ光の照射位置に感光材料の画像記録領域が存在するか否か判断し、ＬＥＤ光の照射位置に感光材料の画像記録領域が存在する期間、光源、すなわちＬＥＤ４７Ｒ、４７Ｇ、４７Ｂを駆動するドライバＤ４７０、Ｄ４７１、Ｄ４７２に入力される露光強度データによりＬＥＤ４７Ｒ、４７Ｇ、４７Ｂを発光させて、ドラムに保持されている感光材料に対する網点画像の画像出力を行い、全色同時露光を行う。
【００８２】
さらに、制御部３０ａは、露光前あるいは装置立ち上げ時ないしは定期的な時期においては、測光ユニットＵ１によりＬＥＤ４７Ｒ・ＬＥＤ４７Ｇ・ＬＥＤ４７Ｂの露光量を測定し、当該測定結果が反映される補正処理が行われるように、ＬＵＴ部２８Ａ内の各ＬＵＴデータの書き換えを行う。
【００８３】
そして、ＬＵＴ部２８Ａに記憶されるＬＵＴ（ルックアップテーブル）データに基づいて、ＬＥＤ４７Ｒ、ＬＥＤ４７Ｇ、ＬＥＤ４７Ｂの露光量を、ドライバＤ４７０、Ｄ４７１、Ｄ４７２を制御することで調整し、感光材料の露光処理を行う。
【００８４】
この際、光量を変調するための各変調データは、それぞれＤ／Ａ変換部４７０Ｒ，４７０Ｇ，４７０ＢでＤ／Ａ変換されてドライバＤ４７０、Ｄ４７１，Ｄ４７２で増幅され、ＬＥＤ４７Ｒ、ＬＥＤ４７Ｇ、ＬＥＤ４７Ｂにそれぞれ与えられ、変調する。
【００８５】
（本実施の形態の特徴的構成：測光ユニットによる光量補正演算を行うための構成）
ここで、本実施の形態の特徴的構成について、図２を用いて説明する。図２は、画像記録装置の一部の詳細を示した機能ブロック図である。
【００８６】
図２に示す露光部２３、記憶部２８、補正処理部２９、表示部２６は、より詳細には、以下のような構成を有する。
【００８７】
露光部２３は、図２に示すように、ＲＧＢの各光源と測光ユニットＵ１を含んで構成される。なお、同じ色の光源については複数例えば３２個形成されている。
【００８８】
記憶部２８は、図２に示すように、画像出力される再現色（Ｃ、Ｍ、Ｙ、Ｒ、Ｇ、Ｂ、Ｗ、ＢＫ）に応じた各ＲＧＢ光源の露光量（Ｒ光量・Ｇ光量・Ｂ光量）を規定したカラーコレクションテーブル２８ａと、すべての階調の画像出力信号で各ＲＧＢ光源を各階調毎（例えば０〜１０２３の１０ビット）に露光した場合（装置立ち上げ時ないしは一定時間経過後に行われる）に測定ユニットＵ１にて測定された各ＲＧＢの測定露光量を、各階調毎（０〜１０２３：以下この０〜１０２３の階調値をＬＵＴ値と称する場合がある）に記録した光量測光テーブル２８ｂと、光量測光テーブル２８ｂの階調値（ＬＵＴ値）を用いて前記カラーコレクションテーブル２８ａの再現色（Ｃ、Ｍ、Ｙ、Ｒ、Ｇ、Ｂ、Ｗ、ＢＫ）に応じた値を規定した出力テーブル２８ｃと、露光前のシングル露光（多段階の画像出力信号のうち少なくとも１つの特定の段階の階調（ＬＵＴ値）を選択して光源を発光させる）により光量を測定ユニットＵ１で測定したときの露光前光量値として記憶したシングル露光によるＡ／Ｄ値格納部２８ｄと、前記シングル測光による特定のＬＵＴ値に対応するシングルＡ／Ｄ値と、前記光量測光テーブル２８ｂの前記特定のＬＵＴ値に対応するＡ／Ｄ値とに基づいて算出された測光係数を格納する測光係数格納部２８ｅと、前記測光係数に基づいて前記カラーコレクションテーブル２８ａの露光量を補正した補正露光量情報を格納した補正露光量情報格納部２８ｆと、を含んで構成される。
【００８９】
記憶部２８内のＬＵＴ部の一つであるカラーコレクションテーブル２８ａは、ＹＭＣＫの各版の組み合わせをどの程度の光量で露光するかを指定するテーブルであり、図７（Ａ）に示すように、露光による再現色、すなわちＹ（イエロー）、Ｍ（マゼンタ）、Ｃ（シアン）、Ｂ（ブルー）、Ｇ（グリーン）、Ｒ（レッド）、ＧＹ（グレイ）、Ｗ（ホワイト）、及ＢＫ（ブラック）と、それら再現色の各々に対しての各ＲＧＢ光源の露光量（Ｒ光量・Ｇ光量・Ｂ光量）との対応を規定するＬＵＴ（ルックアップテーブル）データである。
【００９０】
なお、感光材料の種類、例えば「ｇｌｏｓｓｙ」、「ｍａｔｔ」等に応じ、あるいはインクなどの種類や銘柄に応じてチャンネル化された各々のテーブルを用意して必要に応じて選択的に利用するようにしてもよい。
【００９１】
光量測光テーブル２８ｂは、画像出力信号で測光した光量値を保存するテーブルであり、図７（Ｂ）に示すように、各階調値（ＬＵＴ値）に応じたＲＧＢ光源の測定光量値が記録されている。
【００９２】
なお、一つの色について複数の光源を有する場合には、それらの各光源の本数例えば３２本等に応じて１〜３２の各々のテーブルがチャンネル（ｃｈ）化されて用意されている。
【００９３】
出力テーブル２８ｃは、カラーコレクションテーブル２８ａを、画像出力信号であるＬＵＴ値に変換したテーブルであり、図７（Ｃ）に示すように、露光による再現色、すなわちＹ（イエロー）、Ｍ（マゼンタ）、Ｃ（シアン）、Ｂ（ブルー）、Ｇ（グリーン）、Ｒ（レッド）、ＧＹ（グレイ）、Ｗ（ホワイト）、及ＢＫ（ブラック）と、それら再現色の各々に対してのＹＬＵＴ値、ＭＬＵＴ値、ＣＬＵＴ値の値が各々規定されている。補正される前においては、カラーコレクションテーブル２８ａの光量値に対応する光量測光テーブル２８ｂのＬＵＴ値が規定される。このＬＵＴ値にて光源の露光出力を行うのに必要とされる駆動電流（ドライブ電流）の大きさが規定され（画像出力信号となって）実際の露光が行われる。
【００９４】
なお、一つの色について複数の光源を有する場合には、それらの各光源の本数例えば３２本等に応じて１〜３２の各々のテーブルがチャンネル（ｃｈ）化されて用意されている。
【００９５】
表示部２６には、例えばカラーコレクションテーブル２８ａの露光量やｃｈなどを設定するための第１の設定手段２６ａと、光量測光テーブル２８ｂの測定光量値やＬＵＴ値を参照したり設定変更したりするための第２の設定手段２６ｂと、出力テーブル２８ｃのＬＵＴ値を参照したり設定変更したりすることの可能な第３の設定手段２６ｃと、を含んで構成されている。
【００９６】
補正処理部２９は、定期的な時間ないしは装置立ち上げ時に、すべての階調の画像出力信号（階調値）にて光源を光らせて当該光を測光ユニットＵ１で測定した測定結果たる各階調毎の測定露光量を前記光量測光テーブル２８ｂとして作成処理する光量測光処理手段２９ａと、画像露光前に多段階の画像出力信号（階調値）のうち少なくとも一つの特定の階調値（ＬＵＴ値）を選択して、当該特定のＬＵＴ値にて光源を光らせて当該光を測光ユニットＵ１で測定（シングル測光）した測定結果たる露光前光量値（シングル測光によるＡ／Ｄ値）を記憶部２８のシングル測光によるＡ／Ｄ値格納部２８ｄに格納するように処理するシングル測光処理手段２９ｂと、を含んで構成される。
【００９７】
さらに、補正処理部２９は、記憶部２８のシングル測光によるＡ／Ｄ値格納部２８ｄの特定のＬＵＴ値に対応するシングルＡ／Ｄ値と、前記記憶部２８の光量測光テーブル２８ｂの前記特定のＬＵＴ値に対応するＡ／Ｄ値とに基づいて測光係数を算出して記憶部２８の測光係数格納部２８ｆに格納するように処理する測光係数算出手段（光量誤差係数算出手段）２９ｃと、測光係数格納部２８ｅの測光係数と、カラーコレクションテーブル２８ａの露光量とに基づいて当該光量を補正演算処理する補正演算処理手段２９ｄと、これらの各部の各演算処理の演算順序や必要な演算のみを行うように制御する演算処理制御手段２９ｅと、を含んで構成される。
【００９８】
ここに、本実施の形態の「測光ユニット」により本発明にいう「測光手段」を構成でき、本実施の形態の「光量測光処理手段」により本発明にいう「第１の光量測光処理手段」を構成できる。また、本実施の形態の「シングル測光処理手段」により本発明にいう「第２の光量測光処理手段」を構成でき、本実施の形態の「補正演算処理手段」および「演算処理制御手段」により、本発明にいう「光量補正手段」を構成できる。
【００９９】
光量測光処理手段２９ａは、図８（Ａ）に示すような光量測光テーブル２８ｂを作成するよう演算処理する。各ＬＥＤの各ドライバに出力されるＬＵＴ値を０〜１０２３まで変化させ、ビームモニター等にて光量を測定する。測光は、各光源の各チャンネルにて行う。
【０１００】
なお、測光ステップが選択された場合は、線形補間にて値を生成する（図８（Ｂ））。ビーム測光の制御方法は、ビームモニター制御タスクにより行われる。
【０１０１】
ここに、例えば１ビームの測光の時間を５ｍｓｅｃとすると、５×３２ｃｈ×１０２４×３色であるから、ビーム測光のトータル時間は、１ｓｔｅｐでは８．２ｍｉｎ、２ｓｔｅｐでは４．１ｍｉｎとなる。
【０１０２】
このように、光量測光処理手段２９ａ（第１の光量測光処理手段）は、前記光源を全ての階調の画像出力信号に基づいて発光させて、前記測光手段にて測光したときの各階調毎の光量値を算出処理する。
【０１０３】
シングル測光処理手段２９ｂは、露光出力前にビーム測光を行うものであり、図９（Ａ）に示すように、例えば特定のＬＵＴ値、ＬＵＴ５００にて、ＲＧＢ×３２ｃｈをそれぞれシングル測光し、Ａ／Ｄ値を保存する。この値を、例えばＲｓｉｎｇｌｅ（Ｎｃｈ、ＬＵＴ＝５００）＜ＲｅｄのＮｃｈのＬＵＴ＝５００のときのシングル点灯Ａ／Ｄ値＞として保存する。
【０１０４】
なお、Ａ／Ｄ値が０と検出した場合は、光量エラーを発生する。また、保存可能なデータ量を１９．２ｋバイトとすると、ＲＧＢ×３２ｃｈ×２ｂｙｔｅ×１００データとなるので、Ａ／Ｄ値は、過去約１００回程度のデータまでを保存可能に構成できる。
【０１０５】
このように、シングル測光処理手段２９ｂ（第２の光量測光処理手段）は、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を算出処理する。
【０１０６】
測光係数算出手段２９ｃは、先ず、前記特定のＬＵＴ値、例えばＬＵＴ５００に対応する値を光量測光テーブル２８ｂから抽出する。図９（Ａ）の例では、光量測光テーブルのＬＵＴ＝５００のＡ／Ｄ値は、Ｒ（Ｎｃｈ、ＬＵＴ＝５００）、Ｇ（Ｎｃｈ、ＬＵＴ＝５００）、Ｂ（Ｎｃｈ、ＬＵＴ＝５００）となっている。
【０１０７】
そして、露光前のシングル測光のＬＵＴ５００のＡ／Ｄ値、すなわち、例えばＲｓｉｎｇｌｅ（Ｎｃｈ、ＬＵＴ＝５００）とＲ（Ｎｃｈ、ＬＵＴ＝５００）とを比較して測光係数を算出する処理を行う。
【０１０８】
ここに、測光係数Ｒｋ（Ｎｃｈ）は、例えば、Ｒｋ（Ｎｃｈ）＝Ｒ（Ｎｃｈ、ＬＵＴ＝５００）／Ｒｓｉｎｇｌｅ（Ｎｃｈ、ＬＵＴ＝５００）のように定義され、これに基づいて算出される。なお、（Ｎ＝０〜３２ｃｈ）である場合には、ＢＧＲ×３２ｃｈ分を算出する。
【０１０９】
このように、測光係数算出手段２９ｃは、露光前光量値と前記光量値とに基づいて、測光による光量の誤差を測光係数として算出する。
【０１１０】
補正演算処理手段２９ｄは、前記測光係数算出手段２９ｃにて算出された測光係数に基づいて、前記画像の露光時の画像出力信号に対して補正演算を行い、光量を補正する演算を行う。このようにして、図９（Ｂ）に示すように、当初の図９（Ａ）の光量測光テーブルから得られる測光カーブを、現実に露光する前の１点測光によるＡ／Ｄ値（測定値）と前記測光カーブの該当ＬＵＴ値における値とから測光係数を求めて、その測光係数で、光源の全階調における光量のずれを補正する。
【０１１１】
具体的には、算出した測光係数に基づいて、補正光量値を算出し、当該補正光量値により光量測光テーブル２８ｂのＬＵＴ０〜１０２３までの値を書き換える。そして、書き換えられた光量測光テーブル２８ｂの補正光量値に対応する補正ＬＵＴ値により出力テーブル２８ｃを書き換える処理を行う。なお、補正演算結果が４０９５以上の場合は、４０９５とする。
【０１１２】
また、図１１に示すように、ＬＵＴ値の低い低光量部を除いては光量の誤差は一定であるので、画像信号（階調値ないしはＬＵＴ値）を０から１０２３まで上げていっても、１点補正が可能となる。
【０１１３】
しかしながら、低光量部においては誤差が比較的大きくなるために、複数段階とするのが好ましい。すなわち、演算処理制御手段２９ｅは、中濃度部（中光量部）では１段階を選択し、低濃度部（低光量部）では複数段階の階調値を選択し、これらの階調値に応じて光源を光らせて補正のための測光を行うように制御することが好ましい。これにより、低濃度部（低光量部）での誤差の影響を低減できる。
【０１１４】
この際、第２の光量測光処理手段を設け、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を算出処理することが好ましい。
【０１１５】
（光量補正を行うための構成における作用について）
次ぎに、以上のように構成される画像記録装置において光量の調整がなされるまでの一連の流れについて説明する。
【０１１６】
上述のような構成を有する画像記録装置２０の制御系において、予め記憶部２８には、カラーコレクションテーブル２８ａや出力テーブル２８ｃなどが格納されている。
【０１１７】
そして、補正処理部２９の演算処理制御手段２９ｅは、光量測光処理手段２９ａ、シングル測光処理手段２９ｂ、測光係数算出手段２９ｃ、補正演算処理手段２９ｄの順に処理がなされるよう制御する。
【０１１８】
具体的には、定期的な時間ないしは装置立ち上げ時に、光量測光処理手段２９ａは、すべての階調の画像出力信号（階調値）にて光源を光らせて当該光を測光ユニットＵ１で測定した測定結果たる各階調毎の測定露光量を前記光量測光テーブル２８ｂとして作成処理する。
【０１１９】
この際、各ＬＥＤの各ドライバに出力されるＬＵＴ値を０〜１０２３まで変化させ、ビームモニター等にて光量を測定する。測光は、各光源の各チャンネルにて行う。
【０１２０】
一方、露光出力前には、シングル測光処理手段２９ｂが、多段階の画像出力信号（階調値）のうち少なくとも一つの特定の階調値（ＬＵＴ値）を選択して、当該特定のＬＵＴ値にて光源を光らせて当該光を測光ユニットＵ１で測定（シングル測光）した測定結果たる露光前光量値（シングル測光によるＡ／Ｄ値）を記憶部２８のシングル測光によるＡ／Ｄ値格納部２８ｄに格納するように処理する。
【０１２１】
例えば、図９（Ａ）に示すように、例えば特定のＬＵＴ値、ＬＵＴ５００にて、ＲＧＢ×３２ｃｈをそれぞれシングル測光し、Ａ／Ｄ値を、例えばＲｓｉｎｇｌｅ（Ｎｃｈ、ＬＵＴ＝５００）として保存する。
【０１２２】
次に、測光係数算出手段２９ｃは、記憶部２８のシングル測光によるＡ／Ｄ値格納部２８ｄの特定のＬＵＴ値に対応するシングルＡ／Ｄ値と、前記記憶部２８の光量測光テーブル２８ｂの前記特定のＬＵＴ値に対応するＡ／Ｄ値とに基づいて測光係数を算出して記憶部２８の測光係数格納部２８ｆに格納するように処理する。
【０１２３】
具体的には、前記特定のＬＵＴ値、例えばＬＵＴ５００に対応する値を光量測光テーブル２８ｂから抽出する。図９（Ａ）の例では、光量測光テーブルのＬＵＴ＝５００のＡ／Ｄ値は、Ｒ（Ｎｃｈ、ＬＵＴ＝５００）、Ｇ（Ｎｃｈ、ＬＵＴ＝５００）、Ｂ（Ｎｃｈ、ＬＵＴ＝５００）となっている。そして、保存済みのシングル測光のＬＵＴ５００のＡ／Ｄ値、すなわち、例えばＲｓｉｎｇｌｅ（Ｎｃｈ、ＬＵＴ＝５００）とＲ（Ｎｃｈ、ＬＵＴ＝５００）とを比較して測光係数を算出する処理を行う。
【０１２４】
本実施の形態では、測光係数Ｒｋ（Ｎｃｈ）は、例えば、Ｒｋ（Ｎｃｈ）＝Ｒ（Ｎｃｈ、ＬＵＴ＝５００）／Ｒｓｉｎｇｌｅ（Ｎｃｈ、ＬＵＴ＝５００）のように定義され、これに基づいて算出される。なお、（Ｎ＝０〜３２ｃｈ）である場合には、ＢＧＲ×３２ｃｈ分を算出する。
【０１２５】
そして、補正演算処理手段２９ｄは、前記測光係数算出手段２９ｃにて算出された測光係数に基づいて、光量を補正する演算を行う。
【０１２６】
具体的には、図１０に示すように、算出した測光係数Ｂｋに基づいて、カラーコレクションテーブル２８ａの該当値を用いて補正光量値ＢＢを算出し、当該補正光量値ＢＢにより光量測光テーブル２８ｂのＬＵＴ０〜１０２３までの値を書き換える。そして、書き換えられた光量測光テーブル２８ｂの補正光量値ＢＢに対応する補正ＬＵＴ値Ｌｂｎにより出力テーブル２８ｃを書き換える処理を行う。このことにより、実際の露光時には出力テーブル２８ｃから補正された画像出力信号が出力され、安定な露光が行われる。
【０１２７】
なお、図２に説明を戻し、第１の設定手段２６ａにより、カラーコレクションテーブル２８ａ（カラーチャンネル色補正ＬＵＴ）に関する情報を設定入力して色調整を行うこともできる。この際、カラーコレクションテーブル２８ａにおいて、紙の種類やチャンネル（ｃｈ）を指定するには、色調整手段などの専用のソフトウエアツールを用いることによって、選択指定を行う。
【０１２８】
具体的には、液晶パネルの初期メニュー画面上で、タッチパネルにより所定のキーを押すと、カラーコレクション設定画面（１つのチャンネル例えばチャンネル１のＬＵＴデータとテンキーを含む画面）が表示される。カラーコレクションテーブル２８ａのデータの数値は、デフォルト状態では標準的な値となっている。
【０１２９】
この画面上で所望の基準色（再現色）にタッチし、それに対応する濃度値をテンキーを用いて変更し、数値の確定はエンターキーによって行い、数値の間違いは、クリアキーでクリアして打ち直す。
【０１３０】
１つのチャンネルにつき全ての基準色の調節を終えたら、次のチャンネルのカラーコレクションが可能な状態になる。そこで、必要に応じ、次のチャンネルについても、同様にして、カラーコレクションを行う。カラーコレクションを全て終了したらメニューキーを押して初期メニュー画面に戻る。
【０１３１】
なおここで、カラーコレクションテーブル２８ａは、前述したように、最終印刷物の印刷用紙の形態（アート紙、コート紙、上質紙か否か）や、インクの種類、印刷条件等によっても紙上の網点の濃度が各々異なることに鑑み、補正処理部２９は、各ペーパタイプやチャンネル化されたｃｈを指定することによって特定のカラーコレクションテーブル（色補正ＬＵＴ）であるカレントカラーコレクションテーブルを選択抽出し、前述の補正演算にて利用されることとなる。
【０１３２】
（処理手順について）
次に、上述のような構成を有する画像記録装置の露光量補正における処理手順について、図１２〜図１５を参照して説明する。
【０１３３】
先ず、図１２に示すように、一定時間経過かもしくは画像記録装置の立ち上げ（電源が投入されウォームアップしたか）否かの判断処理を行う（ステップ「以下、ＳＴ」１１）。この判断処理において、一定時間が経過もしくは装置の立ち上げが行われたものと判断された場合には、光量測光処理手段による処理を行う（ＳＴ１２）。
【０１３４】
一方、ステップＳＴ１１の判断処理において、一定時間の経過もしくは装置の立ち上げが行われていないものと判断された場合には、ステップＳＴ１３に進む。
【０１３５】
そして、画像露光が開始されたか否かについての判断処理を行う（ＳＴ１３）。このＳＴ１３において、画像露光が開始されていないものと判断された場合には、ＳＴ１３が繰り返される。
【０１３６】
一方、ＳＴ１３の判断処理において、画像露光の開始がなされたものと判断された場合には、
シングル測光処理手段による処理を行う（ＳＴ１４）。
【０１３７】
続いて、測光係数算出手段による処理を行う（ＳＴ１５）。次に、補正演算を行う（ＳＴ１６）。
【０１３８】
そして、補正された露光量に基づいて画像露光出力を行う（ＳＴ１７）。
【０１３９】
（ＳＴ１４の処理について）
次に、前記ＳＴ１４のさらに詳細な処理内容について、図１３を参照して説明する。ここにおいて、露光前に特定のＬＵＴ値にてＲＧＢの各色の各ｃｈの光源について各々シングル測光し、Ａ／Ｄ値を算出する（ＳＴ１４１）。
【０１４０】
この際、前記Ａ／Ｄ値が０であるか否か判断する処理を行う（ＳＴ１４２）。前記ＳＴ１４２の判断処理において、Ａ／Ｄ値が０であるものと判断された場合には、光量エラーとなる（ＳＴ１４３）。一方、前記ＳＴ１４２の判断処理において、Ａ／Ｄ値が０でないものと判断された場合には、次のＳＴ１４４に進む。
【０１４１】
ＳＴ１４４においては、Ａ／Ｄ値が、同一色、同ｃｈについて１０１データ以上か否か判断する処理を行う（ＳＴ１４４）。このＳＴ１４４の判断処理において、Ａ／Ｄ値が１０１データ以上であると判断された場合には、その時点において最も古いデータを削除する処理を行い（ＳＴ１４５）、Ｓ１４４を繰り返す。これによって、空き領域を形成することができる。
【０１４２】
一方、前記ＳＴ１４４の判断処理において、Ａ／Ｄ値が１０１データ以上ではないと判断された場合には、Ａ／Ｄ値を記憶するための空き領域があることを意味するから、前記ＳＴ１４１にて算出されたＡ／Ｄ値を保存する処理を行うこととなる。
【０１４３】
なお、この際のＡ／Ｄ値の具体例については、例えば、Ｒｓｉｎｇｌｅ（Ｎｃｈ、ＬＵＴ５００）等が挙げられる。
【０１４４】
（ＳＴ１５の処理について）
次に、前記ＳＴ１５のさらに詳細な処理内容について、図１４を参照して説明する。図１４に示すように、先ず、光量測光テーブルの特定のＬＵＴ値に対応するＡ／Ｄ値を抽出する処理を行う（ＳＴ１５１）。例えば、Ｒ（Ｎｃｈ、ＬＵＴ＝５００）等を抽出する。
【０１４５】
次に、シングル測光による前記特定のＬＵＴ値に対応するシングルＡ／Ｄ値を抽出する処理を行う（ＳＴ１５２）。例えば、Ｒｓｉｎｇｌｅ（Ｎｃｈ、ＬＵＴ＝５００）等を抽出する。
【０１４６】
さらに、前記ＳＴ１５１にて抽出されたＡ／Ｄ値と、前記ＳＴ１５２にて抽出されたシングルＡ／Ｄ値とに基づいて、測光係数を算出する処理を行う（ＳＴ１５３）。ここで、例えば測光係数を、（測光係数）＝（Ａ／Ｄ値）／（シングル測光によるＡ／Ｄ値）であるものと定義すると、測光係数Ｒｋ（Ｎｃｈ）は、Ｒｋ（Ｎｃｈ）＝＜Ｒ（Ｎｃｈ、ＬＵＴ＝５００）＞／＜Ｒｓｉｎｇｌｅ（Ｎｃｈ、ＬＵＴ＝５００）＞となる。
【０１４７】
このようにして、前記各ステップを行い、ＲＧＢの各々について、さらにすべてのｃｈについて行う（Ｓ１５４）。
【０１４８】
（ＳＴ１６の処理について）
次に、前記ＳＴ１６のさらに詳細な処理内容について、図１５を参照して説明する。図１５に示すように、先ず、カラーコレクションテーブルの光量値を抽出する処理を行う（ＳＴ１６１）。
【０１４９】
そして、測光係数を抽出する処理を行う（ＳＴ１６２）。
【０１５０】
続いて、前記光量値と前記測光係数とに基づいて、測光のずれを補正する演算処理を行う（ＳＴ１６３）。
【０１５１】
さらに、算出された補正露光量に対応する補正ＬＵＴ値を、光量測光テーブルから抽出する処理を行う（ＳＴ１６４）。
【０１５２】
次いで、出力テーブルのＬＵＴ値を、前記補正ＬＵＴ値に書き換える処理を行う（ＳＴ１６５）。このようにして、各ステップを、すべての色、すべてのｃｈについて行う（ＳＴ１６６）。
【０１５３】
以上のように本実施の形態によれば、ＬＥＤ光量が環境や経時変化によってＬＥＤの光量に変動が生じた場合、多段の出力変調信号のうち１段のみの出力変調信号の光量を測光し、すべての出力光量に対して補正をかける。これにより、１点の画像出力信号（階調値）の光量のみを測光し、すべての光量に対して補正演算処理を行うので時間短縮が図れ、短時間に精度良く光量の補正をかけることができ、特に、マルチビームによる光源の増加に対しても短時間に補正を行い、安定した画像濃度を出力することができる。
【０１５４】
［第２の実施の形態］
次に、本発明にかかる第２の実施の形態について、説明する。なお、以下には、前記第１の実施の形態の実質的に同様の構成に関しては説明を省略し、異なる部分についてのみ述べる。
【０１５５】
上述の第１の実施の形態では、測光係数の定義を、（測光係数）＝（Ａ／Ｄ値）／（シングル測光によるＡ／Ｄ値）であるものとして定義した場合の例を開示したが、これに限らず、（測光係数）＝（シングル測光によるＡ／Ｄ値）／（Ａ／Ｄ値）と定義した場合であってもよい。
【０１５６】
この場合には、算出した測光係数を、光量測光テーブルのＬＵＴ０〜１０２３までに乗算して、テーブルを書き換えることができる。なお、乗算した結果が４０９５以上の場合は、４０９５とする。例えば、Ｒ（Ｎｃｈ、ＬＵＴ＝Ｘ）＝Ｒｋ（Ｎｃｈ）×Ｒ（Ｎｃｈ、ＬＵＴ＝Ｘ）（Ｎ＝０〜３２ｃｈ、Ｘ＝０〜１０２３）となる。
【０１５７】
そして、カラーコレクションテーブルの光量値に対して、ビームモニターの測光のずれを補正するため、測光係数にて除する。これにより、算出したＬＵＴ値を光量測定テーブルから抽出し、出力テーブルにセットする。すべてのチャンネルを行う。さらに、出力データをセット完了後、最終的にハードからアクセスされるＬＵＴメモリーへ出力データをコピーする。なお、ＬＵＴメモリーは電源ＯＦＦ後消滅するが、出力データはバックアップされているものとする。
【０１５８】
以上のように本実施の形態によれば、前記第１の実施の形態と同様の作用効果を奏することができる。
【０１５９】
［第３の実施の形態］
次に、本発明にかかる第３の実施の形態について、図１６に基づいて説明する。なお、以下には、前記第１の実施の形態の実質的に同様の構成に関しては説明を省略し、異なる部分についてのみ述べる。図１６は、本実施の形態のカラープルーフ作成システムの構成例を示す説明図である。
【０１６０】
上述の実施の形態では、画像記録装置における演算処理について説明したが、前記補正演算をネットワークを介して通信可能に形成された管理装置側で行い、補正演算結果を画像記録装置側に転送して前記テーブルを書き換えるような処理を行うシステム構成としてもよい。
【０１６１】
具体的には、先ず、デスクトップパブリッシング分野におけるカラープルーフ作成システムの全体の概略構成について、図１６を参照して説明する。
【０１６２】
本実施の形態のカラープルーフ作成システム１は、図１６に示すように、ネットワークＮ１に接続された複数例えば３台の画像データの生成等を行う画像編集の機能を有する情報端末である上流端末２（２Ａ、２Ｂ、２Ｃ）と、同じくネットワークＮ１に接続された複数例えば２台の画像出力制御機能を有する画像処理装置３（３Ａ、３Ｂ）と、各画像処理装置３（３Ａ、３Ｂ）とネットワークＮ２を介して通信可能に各々接続された複数例えば２台の画像記録装置２０（２０Ａ、２０Ｂ）と、前記画像記録装置２０（２０Ａ、２０Ｂ）とネットワークＮ３を介して各々通信可能に形成されて画像記録装置２０に関する各種制御情報を取得しモニタして遠隔管理することにより各種メンテナンスを行なうためのサブホスト４と、サブホスト４とネットワークＮ４を介して通信可能に形成されたホスト５とを含んで構成している。
【０１６３】
ここで、図１６のシステム構成例においては、前記上流端末２（２Ａ、２Ｂ、２Ｃ）によりデザインシステムを構成し、画像処理装置３（３Ａ、３Ｂ）によりフロントシステムを構成し、サブホスト３によりホストシステムを構成し、ホスト５によりセンターシステムを構成している。また、上流端末２、画像処理装置３、サブホスト４、ホスト５は、各種ＰＣやサーバー、あるいはこれに類する情報処理装置等のコンピュータにて形成されることが好ましく、画像記録装置２０（２０Ａ、２０Ｂ）はＤＣＰ（デジタルカラープルーフ）作成装置を用いている。
【０１６４】
また、ネットワークＮ１、Ｎ２、Ｎ３、Ｎ４としては、例えばインターネット（乃ち主としてＴＣＰ／ＩＰプロトコルを用いた通信態様）や特定区域のＬＡＮやＷＡＮさらにはシリアル通信等、あるいはその組み合わせであることが好ましいが、これらのネットワークに携帯電話回線網（基地局及び交換システムを含む）、公衆電話回線網、ブロードバンド対応可能な専用回線、ケーブルＴＶなどの各種回線、無線（衛星通信等を含む）ネットワーク等を含んでいてよく、また、他の種々の通信プロトコルを用いたネットワークであっても構わず、他の種々のネットワークと接続されたシステムであってもよい。これらネットワークＮ１、Ｎ２、Ｎ３、Ｎ４の組み合わせからなる総称により本発明にいう「通信網」を構成している。
【０１６５】
なお、本実施の形態の特徴とするところの各テーブルは、画像記録装置２０に備えることを前提とするものであるが、画像処理装置３単独で備えたとしても、画像処理装置３及び画像記録装置２０の各々に備えたとしても構わない。その際、本例では図示しないが、例えば、１台の画像処理装置３に対して複数の異なるタイプ（機種）の画像記録装置２０が接続されるような場合には、その各々の画像記録装置２０に対応する各前記テーブルを１台の画像処理装置３に備えてよいことは勿論である。
【０１６６】
上流端末２（２Ａ、２Ｂ、２Ｃ）は、各々コンピュータ端末装置として動作するものであり、上流端末２（２Ａ、２Ｂ、２Ｃ）は、システム構成に応じて種々のハードウエア構成を採りうることが可能であり、この本例では、繁雑になるので図示していないが、ＣＰＵとＲＯＭ、ＲＡＭ等を有するコンピュータ本体と、これに接続されるＣＲＴ等のディスプレイ、マウス、キーボード、デジタイザ、ＦＤＤ装置、およびハードディスク等や、イメージスキャナ等の画像生成のための入力機器を備えている。
【０１６７】
画像処理装置３は、上流端末２にて編集された画像編集ファイルの画像データを、ネットワークＮ１を通じて、もしくは、ＦＤＤ等の外部入出力装置を通じて、ＲＩＰ（Ｒａｓｔｅｒ　Ｉｍａｇｅ　Ｐｒｏｃｅｓｓｏｒ）等によってラスタデータに展開するとともに、分版して各色版データ（網点画像データ）を生成する網点画像データ生成処理を行い、各網点画像データを画像記録装置２０に転送して画像を出力するようになっている。
【０１６８】
なお、画像処理装置３（３Ａ、３Ｂ）もコンピュータ本体、表示部、キーボード等の入力機器を備え、画像データの受け入れ、画像記録装置２０（２０Ａ、２０Ｂ）へのジョブの出力等を行う動作プログラムを組み込んでいる。なお、この発明を理解する上では繁雑になるので図示はしていないが、画像処理装置３には、画像原稿を読み取るカラースキャナ、台紙の情報を読み取る台紙入力機、また必要に応じて、比較的低画質のゲラ印刷を行うゲラプリンタ等を接続してもよい。
【０１６９】
画像記録装置２０は、画像処理装置３から転送された網点画像データにより印刷用紙に画像を形成しカラープルーフを作成する。なお、画像記録装置２０は、レーザー露光方式等を用いたカラープルーファー等の画像形成装置から構成することができる。これにより、画像処理装置３から画像データをネットワークＮ２を通じて画像記録装置２０に転送し、各色の画像データを記録材（出力媒体：出力用紙等）に記録することにより、カラープルーフを形成することができる。
【０１７０】
ここで、画像記録装置２０には、各種補正等を行うための各種テーブル、カラーコレクションを設定するための設定情報等を含むソフトウエアが搭載され、補正演算処理を行うことで、環境変化や経時変化に伴う光量補正が行えるように構成され、正しい色調のカラープルーフを作成することが可能である。
【０１７１】
なお、システム構成としては図１６の例を構成することが好ましいが、図１６の構成例に限らず、画像処理装置３、サブホスト４、ホスト５、（上流端末２）の機能を便宜的に１台のコンピュータで構成しても構わない。以下の各項目における詳細説明では、説明を簡単にするために、前記１台のコンピュータを、「管理装置」として構成した場合を例に説明する。即ち、図４に示すように、管理装置１０と画像記録装置２０とがネットワークを介して通信可能に形成された、最も単純なシステム構成例をもとに説明する。
【０１７２】
（管理装置の構成および作用）
図１７には、管理装置１０及び画像記録装置２０を機能的な構成要素の具体例が機能ブロック図として開示されている。なお、画像記録装置２０の構成は、前記第１の実施の形態と同様なのでその説明を省略する。なお、補正処理部２９を画像記録装置２０において形成しないことが好ましく、記憶部２８には出力テーブル２８ｃのみ有する構成としてもよい。
【０１７３】
管理装置１０は、画像記録装置２０を制御するコントローラとして機能し、図１７に示すように、外部から編集された画像編集ファイルの画像データが入力される入力インターフェースである入力部１１と、入力部１１にて入力された画像データをラスタイメージデータなどに展開するとともに分版して各色版データたる網点画像データを生成するＲＩＰ機能などの処理、さらには、前記網点画像データと、記憶部１４の情報に基づいて種々の画像処理ないしは演算処理さらには、前記第１の実施の形態においてなされた補正処理部などの各種補正処理を行うデータ処理部１２と、画像データやパラメータの設定条件、各種テーブル、その他のプログラムなどを記憶するハードディスク等の記憶部１４と、データ処理部１２からの例えば網点画像データを例えばＣ、Ｍ、Ｙ、Ｋ等の面順序で出力し、画像記録装置２０に転送制御する出力インターフェースからなる通信手段である転送制御部１３と、各種情報や設定条件等の設定操作入力を行う操作部１５と、各種ＬＵＴなどの各種設定パラメータを設定する画面などを表示するＣＲＴや液晶パネルからなる表示部１６と、ＦＤＤなどの外部入出力装置１７と、データ処理部１２、転送制御部１３、記憶部１４、操作部１５、表示部１６、及び外部入出力装置１７をそれぞれ制御するためのＣＰＵなどからなる管理制御部１８と、を含んで構成される。
【０１７４】
入力部１１には、文字、絵柄等の画像を総合的に統合して編集する編集用の上流端末２からの画像編集ファイルのカラー情報を含む例えばページ記述言語（ＰＤＬ）等の画像データが入力される。前記画像データとしては、例えば、上述したＰＳ・ＥＰＳ・ＰＤＦ等のページ記述言語で構成されたデータ以外にも、ＴＩＦＦ、ＴＩＦＦ／ＩＴ等の汎用フォーマットデータ、主要メーカーが自社専用フォーマットとして取り扱っているデータ、その他これに類する種々のデータなども含む。
【０１７５】
データ処理部１２は、記憶部１４などを利用して、入力されたデータ例えばＰＤＬデータを所定の画像出力条件（例えば、網点の形状、網角度、スクリーン線数、感光材料のガンマ特性、現像機の特性等）に応じて２値画像データであるラスタイメージデータに展開するとともに、分版を行い網点画像データを生成する処理などを行う。
【０１７６】
さらに、前記第１の実施の形態の補正処理部と同様の機能を有する。
【０１７７】
転送制御部１３は、前記データ処理部１２において展開分版された画像データを画像記録装置２０に対して転送制御などの処理を行う。これにより、電子製版の元になる電子製版用画像データからラスターイメージフォーマットのＹ，Ｍ，Ｃ，Ｋの画像データを、画像記録装置２０に対して各色毎に順番（面順次）に送信する。
【０１７８】
そして、電子製版用画像データから印刷物と同じスクリーン線数の網点の集合によって再現し、画素ゲイン量を印刷物のそれと近似させて再現する。これにより、印刷網点画像を忠実に再現する。ここで、網点とは、連続階調のある写真やイラストを印刷物として再現するためのスクリーンをかけた製版で作られる微細な点をいい、細かい点の集合によって視覚的に濃淡を感じることを利用したものである。
【０１７９】
記憶部１４は、管理装置１０自身のＯＳなどの全体の制御プログラム及びフォントデータ、並びに色別分版処理のための制御プログラム、処理の途中経過などを一時的に記憶するワークメモリとして機能する領域、例えばポストスクリプト（ＰＳ）等のページ記述言語（ＰＤＬデータ）で記載された色データを含む図形ファイルデータ等を記憶するＰＳファイルメモリ、ＰＳファイルメモリのファイル中から全ての色のデータを抽出して記憶する色テーブルメモリ、分版された各色の分版ファイルをそれぞれ記憶する色別分版ファイルメモリ等、各種メモリ領域を含む。
【０１８０】
また、記憶部１４は、前記第１の実施の形態の画像記録装置２０の記憶部２８に記憶されている各種テーブルと同様の各種情報１４ａを含んで構成される。
【０１８１】
操作部１５は、表示部１６と兼用になっており、操作入力手段としての入力キー等から入力して設定でき、操作入力により押下することにより設定したパラメータを記憶部１４に記憶させることができる。
【０１８２】
表示部１６は、画像記録装置２０の状況や各種情報を表示する表示手段であり、操作部１５により各種設定や操作のための情報を入力することができる。この操作部１５及び表示部１６にて設定されるパラメータ（設定情報）には、管理装置１０の場合、出力解像度、網点情報、ポジネガ設定、回転要否、各種色調整用の各種テーブル（ＬＵＴ）情報等がある。
【０１８３】
管理制御部１８は、記憶部１４から画像記録装置２０について設定されて記憶された各種情報を読み出して表示部１６に表示させ、操作部１５から所定の設定がなされた場合には、前記データ処理部１２において生成された網点画像データに対して前記設定に基づく各種画像処理がなされるようデータ処理部１２などを制御する。
【０１８４】
あるいは、前記操作部１５において操作指示された要求を前記転送制御部１３を介して前記画像記録装置２０に対して送信するよう制御する。
【０１８５】
上述のような構成を有する管理装置１０においては、概略以下のように作用する。すなわち、ユーザーは、管理装置１０に対し、マウス、キーボード等の操作部１５を利用して表示部１６において、各種指定を行うと、これらの指定入力情報は、記憶部１４に記憶される。
【０１８６】
次に、このような準備のもとに、入力部１１を介して上流端末２からカラー情報を含むページ記述言語（ＰＤＬデータ）の取り込みを開始し、ＰＤＬデータの供給が終了したかどうかを判別する。
【０１８７】
そして、外部の上流端末２で編集加工が行われて転送されてきた各種ページ記述言語などで記述された多値階調データである編集画像ファイルの画像データは、入力部１１にて入力されると、データ処理部１２によりをラスタデータ等の画像データに展開するとともに、未だ分版されていない場合には当該画像データに基づき所定の色Ｙ、Ｍ、Ｃ、Ｋに分版する分版処理を行う。そして、データ処理部１２などによって展開分版されると、１枚のカラープルーフを作成するのに必要な色別分版ファイル（網点画像データ）が生成され、網点の網点画像データの画素が生成される。
【０１８８】
尚、通常ＲＩＰ処理は、各色版毎の単色のラスター形式階調データを色数分出力するが、画素毎に各色階調値を並べた形式のデータであってもよい。
【０１８９】
また、ＹＭＣＫが混在している画像データを、各々のデータに分版（分解）する分版処理は、編集用の上流端末２により実行されても、データ処理部１２にて実行されてもよい。すなわち、画像データは、プロセスカラー（ＣＭＹＫ）が混在した１つのデータファイルであることが一般的であるが、場合によっては、各々の色版を別個のデータファイルとして渡すこともあり、各々の色版を別個のデータとして渡されている場合には、データ処理部での分版処理は省略される。
【０１９０】
この際、前記網点画像データに対して、種々の画像処理を行う必要がある場合には、操作部１５および表示部１６を利用することによって画像処理を施した上で転送開始などの指示を行い前記網点画像データを送信することができる。
【０１９１】
そして、転送制御部１３が画像記録装置２０に対してデータを転送し、画像記録装置２０は、管理装置１０から所定の順序に従って、面順次に色版データを受付ける。
【０１９２】
さて、前記第１の実施の形態の画像記録装置における補正処理を管理装置にて行おうとする場合には、管理装置は定期的に画像記録装置に対してアクセスを行い、定期的にないしは画像記録装置が立ち上がる場合に測光される測光データ、すなわち光量測光テーブルの情報を取得する。
【０１９３】
次に、画像データを画像記録装置２０に転送する前に、画像記録装置にてシングル測光を行うようシングル測光指示命令を送信する。そして、画像記録装置がシングル測光を行った結果情報を取得する処理を行う。
【０１９４】
このようにして得られた情報をもとに、前記補正処理部２９同様の処理をデータ処理部１２にて行い、各種情報１４ａ内の各種テーブルを更新した後に、更新情報を画像記憶装置に対して送信し、画像記録装置内の各種テーブルを更新するよう指示する命令を送信する。
【０１９５】
しかる後、書き換えが終了したことが確認されると、画像出力要求ならびに画像データを送信し補正された露光量での画像出力処理がなされることとなる。
【０１９６】
このような処理は、以下に説明する、管理装置のデータ処理部内に形成された第１の取得手段、第２の取得手段、測光係数算出手段、および光量補正手段によりその機能を達成できる。
【０１９７】
つまり、前記第１の取得手段は、前記画像記録装置に対して、前記光源を全ての階調の画像出力信号に基づいて発光させて前記測光手段にて測光させるよう指示し、前記測光手段での各階調毎の光量値の情報を取得する。第２の取得手段は、前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する。
【０１９８】
測光係数算出手段は、第１の実施の形態同様に、前記露光前光量値と前記光量値とに基づいて、測光による光量の誤差を測光係数として算出し、光量補正手段は、前記測光係数算出手段にて算出された測光係数に基づいて、前記画像の露光時の画像出力信号に対して補正演算を行い、前記光量を補正する。
【０１９９】
さらに、転送制御手段は、前記光量補正手段での補正結果情報を前記画像記録装置に対して転送し、前記画像記録装置内の情報を更新するように指示する。
【０２００】
なお、前記第１の実施の形態の変形例と同様に、低光量部、中光量部で階調を異ならせる場合には、第２の取得手段は、前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する。
【０２０１】
以上のように本実施の形態によれば、管理装置にて補正演算を行うこともでき、各画像記録装置の機種が異なる場合、例えば、一方の画像記録装置には光源が複数、他方の画像記録装置は光源が単数である場合等に演算プロセスの一部を簡略化できる。
【０２０２】
なお、本発明にかかる装置と方法は、そのいくつかの特定の実施の形態に従って説明してきたが、当業者は本発明の主旨および範囲から逸脱することなく本発明の本文に記述した実施の形態に対して種々の変形が可能である。
【０２０３】
（情報記録媒体ないしはコンピュータプログラム製品）
例えば、上述の実施の形態のカラープルーフ作成システム（画像記録システム）、それに用いる管理装置、画像記録装置、上流端末、サブホスト、ホスト、あるいは、デザインシステム、フロントシステム、ホストシステム、センターシステム等において処理される処理プログラム、説明された処理、例えば上述の方法（処理手順）及び本明細書で全般的に記述される手法並びに各種データ（例えば、各種テーブル、や補正演算等を行うための演算プログラムその他の情報、画面データ等）の全体もしくは各部を情報記録媒体ないしはコンピュータ可読媒体に記録した構成であってもよく、加えて当該コンピュータ可読媒体を有するコンピュータプログラム製品として形成しても一向に構わない。さらに、上述の処理プログラムを、一般のパソコンや携帯端末で動作可能な電子メールソフトに組み込んだもの、あるいは組み込んだ電子メールソフトを記録した情報記録媒体も含む。
【０２０４】
この情報記録媒体としては、例えばＲＯＭ、ＲＡＭ、フラッシュメモリ等の半導体メモリ並びに集積回路等のメモリ装置、光ディスク、光磁気ディスク（ＣＤ―ＲＯＭ・ＤＶＤＲＡＭおよびＤＶＤＲＯＭ・ＭＯ等）、磁気記録媒体＜磁気ディスク＞（ハードディスク・フロッピー（Ｒ）ディスク・ＺＩＰ等）等を用いてよく、さらに、不揮発性メモリカード、ＩＣカード、ネットワーク化資源等に記録して構成して用いてよい。
【０２０５】
さらにまた、媒体の例としては、コンピュータと別のデバイスの間の無線又は赤外線送信チャンネル、コンピュータで読取可能なカード、例えばＰＣＭＣＩＡカード、別のコンピュータ又はネットワーク上のデバイスへのネットワーク接続、及び電子メール送信とウェブサイトその他に記録された情報を含むインターネットやイントラネット等にてダウンロードされた情報を一時記憶しておくもの等挙げられる。
【０２０６】
この情報記録媒体を上記各実施の形態によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができる。
【０２０７】
また、コンピュータ、管理装置上で稼働しているＯＳ、情報端末、画像記録装置上のＲＴＯＳ等が処理の一部又は全部を行う場合、あるいは記憶領域から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができる。
【０２０８】
なお、前記本実施の形態にて説明されたプログラムは、メモリに常駐することが好ましく、実行時にＣＰＵにより読み出され、制御され、プログラムの中間記憶領域及びネットワークから取得したいかなるデータも半導体メモリを用いて達成してもよい。幾つかの例においては、プログラムの一部又は全部は、所定の記録媒体に記録してユーザーに供給し、対応する装置を介して読み出すか、あるいはモデム装置を介してユーザーがネットワークから読み出してもよい。また、ネットワークを利用した通信形態は、種々のプロトコルを採用できる。
【０２０９】
具体的には、コンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であり、前記光源を全ての階調の画像出力信号に基づいて発光させて、前記測光手段にて測光したときの各階調毎の光量値を算出処理する第１の光量測光処理手段と、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を算出処理する第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行い、前記光量を補正する光量補正手段と、を含む。
【０２１０】
さらに、コンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記光源を全ての階調の画像出力信号に基づいて発光させて、前記測光手段にて測光したときの各階調毎の光量値を算出処理する第１の光量測光処理手段と、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を算出処理する第２の光量測光処理手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行い、前記光量を補正する光量補正手段と、を含む。
【０２１１】
くわえて、コンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号のうちの少なくとも１つの特定の階調を選択して、当該特定の階調に基づいて前記光源を発光させ前記測光手段にて１点測光させるように指示し、前記測光手段での１点測光での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行い、前記光量を補正する光量補正手段と、を含む。
【０２１２】
また、コンピュータプログラム製品は、光量変調可能な光源の光量を測定する測光手段を備えた画像記録装置によりカラープルーフを作成するための処理に際し光量補正を行うプログラムが記録されたコンピュータ可読媒体を有するコンピュータプログラム製品であって、前記画像記録装置に対して、前記光源を全ての階調の画像出力信号に基づいて発光させて前記測光手段にて測光させるよう指示し、前記測光手段での各階調毎の光量値の情報を取得する第１の取得手段と、前記画像記録装置に対して画像出力指示を転送する前に、前記画像記録装置に対して、多段階の階調の画像出力信号の中光量部に相当する少なくとも１つの特定の階調および前記中光量部より低い低光量部に相当する複数の階調を選択して、当該各階調に基づいて前記光源を発光させ前記測光手段にて測光させるように指示し、前記測光手段での露光前光量値の情報を取得する第２の取得手段と、前記露光前光量値と前記光量値とに基づいて、測光による光量の誤差を測光係数として算出する測光係数算出手段と、前記測光係数算出手段にて算出された測光係数に基づいて、前記画像の露光時の画像出力信号に対して補正演算を行い、前記光量を補正する光量補正手段と、を含む。
【０２１３】
さらに、情報記録媒体は、光量変調可能な光源により感光材料を露光して画像を記録する画像記録装置の光量補正方法を実行するためのプログラムを記録した情報記録媒体であって、前記光源を全ての階調の画像出力信号に基づいて発光させて測光手段にて測光したときの各階調毎の光量値を抽出する処理を行う情報と、前記画像を露光する前に、多段階の階調の画像出力信号のうちの少なくとも１つの特定の階調を選択して、当該特定の階調に基づいて前記光源を発光させ、前記測光手段にて１点測光したときの露光前光量値を抽出する処理を行う情報と、前記露光前光量値と前記光量値とに基づいて、測光による光量の誤差を測光係数として算出し、当該測光係数に基づいて、前記光量を補正する処理を行う情報と、を含む。
【０２１４】
また、情報記録媒体は、光量変調可能な光源により感光材料を露光して画像を記録する画像記録装置の光量補正方法を実行するためのプログラムを記録した情報記録媒体であって、前記光源を全ての階調の画像出力信号に基づいて発光させて測光手段にて測光したときの各階調毎の光量値を抽出するステップと、前記画像を露光する前に、多段階の階調の画像出力信号の中光量部に相当する少なくとも１つの特定の階調および前記中光量部より低い低光量部に相当する複数の階調を選択して、当該各階調に基づいて前記光源を発光させ、前記測光手段にて測光したときの露光前光量値を抽出するステップと、前記露光前光量値と前記光量値とに基づいて、測光による光量の誤差を測光係数として算出し、当該測光係数に基づいて、前記光量を補正するステップと、を含むことを特徴としている。
【０２１５】
さらに、上述の実施の形態の「カラープルーフ作成システム」を、ある「システム」の下位階層に組み込んだシステムとして、これら全体を本発明の「システム」として構成することも一向に構わない。
【０２１６】
なお、上述のシステムが搭載される情報処理装置としては、例えばパーソナルコンピュータに限らず、各種サーバー、ＥＷＳ（エンジニアリングワークステーション）、中型コンピュータ、メインフレームなどが挙げられ、サーバーとして利用する際にはこれらをアクセス可能な端末としても利用でき、その他端末としては、携帯型情報端末、各種モバイル端末、ＰＤＡ、携帯電話機、ページャ等からも利用できる構成としても構わない。あるいは、これらの端末に表示されるアプリケーションとして改良されたものも本発明の範囲に含めることができる。
【０２１７】
さらに、図１０、図１１等の方法（処理手順）及び本明細書で全般的に記述される手法並びに各種データベース、表示画面データの情報は、コンピュータシステムを用いて実施されてよい。このようなシステムでは、コンピュータシステム内で実行されるアプリケーションプログラムなどのソフトウェアとして、コンピュータにより実行されるソフトウェア中の命令により達成される。ソフトウェアは、前記方法を実行する部分と、コンピュータとユーザとのユーザインタフェースを管理する部分の２つの別々の部分に分割してもよい。ソフトウェアは、例えば、記憶装置を含むコンピュータ読み取り可能な媒体に格納してもよい。ソフトウェアは、コンピュータ読み取り可能な媒体からコンピュータにロードされ、コンピュータにより実行される。そのようなソフトウェア又はコンピュータプログラムが記録されたコンピュータ読み取り可能な媒体は、コンピュータプログラム製品である。コンピュータにおけるコンピュータプログラム製品の使用は、好都合な装置を達成する。
【０２１８】
なお、本実施の形態にて説明されたプログラムは、ハードディスクもしくはメモリに常駐することが好ましく、実行時にＣＰＵにより読み出され、制御される。プログラムの中間記憶領域及びネットワークから取得したいかなるデータも半導体メモリを用いて、あるいはハードディスク装置とともに用いて達成してもよい。幾つかの例においては、アプリケーションプログラムは、ＣＤ−ＲＯＭ又はフロッピー（Ｒ）ディスクに記録してユーザーに供給し、対応する装置を介して読み出すか、あるいはモデム装置を介してユーザーがネットワークから読み出してもよい。
【０２１９】
さらに、ソフトウェアは、磁気テープと、ＲＯＭ又は集積回路と、光磁気ディスクと、コンピュータモジュールと別の装置との間の無線又は赤外線の伝送チャネルと、ＰＣＭＣＩＡカードなどのコンピュータ読み取り可能なカードと、電子メール伝送及びウェブサイト上などで記録された情報を含むインターネット及びイントラネットとを含むその他のコンピュータ読み取り可能な媒体からコンピュータシステムにロードすることも可能である。これまでの説明は、関連するコンピュータ読み取り可能な媒体のただの例示である。その他のコンピュータ読み取り可能な媒体も、本発明の趣旨から逸脱することなく実施することができる。
【０２２０】
さらに、本発明の実施形態は、コンピュータ産業及びデータ処理産業に適用可能であり、必ずしも特定の基準に準拠していない可能性のあるコンピュータソフトウェアアプリケーションに適用可能であることは、上述から明らかである。
【０２２１】
また、前記実施の形態の処理は、例えばＩＢＭ―ＰＣ／ＡＴ互換機、マッキントッシュコンピュータ、サンワークステーション等の通常の一般的なコンピュータを用いて実行されるのが好ましい。
【０２２２】
さらに、ＣＰＵは、様々なコマンドをメモリにセットアップする。これらコマンドは、画像データ（画素）上における合成操作、畳み込みを含む処理を実行するＲＩＰに指示する一連のコード化された指示であることが好ましい。前記処理は、一般的なマイクロプロセッサ、カスタマイズされたシグナルプロセッサ等を用いて実行されても良いプロセシングユニットを用いて実行されるコマンドセットからなるコンピュータソフトウエアとして実行され得る。
【０２２３】
コマンドセットは、処理モジュールを実行するためのコマンドセットを実行するプロセッシングユニットに接続される内部あるいは外部メモリにそのコマンドセットを格納するために、コマンドセットを記録媒体、不揮発メモリ等に格納しても良い。また、コンピュータ可読媒体例としては、フロッピー（Ｒ）ディスク、磁気記憶装置あるいはハードディスク、光ディスク、光磁気ディスク、不揮発メモリカード、ネットワーク化資源が含まれる。ネットワーク化資源としては、例えば、インターネット及びイーサネット（Ｒ）ネットワークのようなネットワークに対し情報を提供するクライアント／サーバシステムが含まれる。
【０２２４】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。また、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行する場合でもよいことは言うまでもない。
【０２２５】
この場合、記憶媒体から読出されたプログラムコード自体が上述した実施の形態の機能を実現することになり、そのプログラムコードを記憶した記憶媒体は本発明を構成することになる。プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２２６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施の形態の機能が実現される場合も含まれることは言うまでもない。
【０２２７】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２２８】
さらに、上記実施形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含むことは言うまでもない。この場合において、本実施形態において特に記載しなくとも、各実施の形態及び変形例に開示した各構成から自明な作用効果については、当然のことながらその例においても当該作用効果を奏することができる。また、実施形態に示される全構成要件から幾つかの構成要件が削除された構成であってもよい。
【０２２９】
そして、これまでの記述は、本発明の理解を容易にするために、本発明の実施の形態の一例を開示したものであり、前記実施の形態は例証するものであり制限するために記載されたものではなく、所定の範囲内で適宜変形及び／又は変更が可能である。従って、上記の実施の形態に開示された各要素は、本発明の技術的範囲に属する全ての設計変更や均等物を含む趣旨である。
【０２３０】
【発明の効果】
以上説明したように本発明によれば、１点の画像出力信号（階調値）の光量のみを測光し、すべての階調の光量に対して補正演算処理を行うので時間短縮が図れ、短時間に精度良く光量の補正をかけることができ、さらに、マルチビームによる光源の増加に対しても短時間に補正を行うことができるので、半導体レーザ等の光源の環境変化等による特性変動に対して、安定した画像濃度を出力することができる。
【図面の簡単な説明】
【図１】本発明の一実施の形態にかかる画像記録装置の全体の概略構成の一例を示す機能ブロック図である。
【図２】図１の画像記録装置のさらに詳細な構成を示す機能ブロック図である。
【図３】図１の画像記録装置の露光ユニットおよび現像ユニットの内部構成を表す断面図である。
【図４】同図（Ａ）（Ｂ）は、図１の画像記録装置の測光ユニットの構成を示す説明図である。
【図５】同図（Ａ）（Ｂ）は、画像記録装置の光学ユニットの構成の一例を示す説明図であり、同図（Ｃ）は、マルチビームによる露光を説明するための説明図である。
【図６】図１の画像記録装置の露光部の制御系の構成を示すブロック図である。
【図７】同図（Ａ）〜（Ｃ）は、図１の画像記録装置にて用いられる各種テーブルの構成例を示す説明図である。
【図８】同図（Ａ）は、光量測光テーブルの構成例を示す説明図であり、同図（Ｂ）は、ビームモニター値とＬＵＴ値との関係を示す説明図である。
【図９】同図（Ａ）は、シングル測光による光量測光テーブルの構成例を示す説明図であり、同図（Ｂ）は、測光ユニットからのデータをＡ／Ｄ変換するＡ／Ｄ変換部のＡ／Ｄ値と、ＬＵＴ値との関係を示す説明図である。
【図１０】光量を補正する場合の概要を説明するための説明図である。
【図１１】ＬＵＴ値とＡ／Ｄ値の誤差との関係を説明するための説明図である。
【図１２】本発明の一実施の形態に係る画像記録装置の光量補正の処理手順の一例を示すフローチャートである。
【図１３】図１２のさらに詳細な手順を示すフローチャートである。
【図１４】図１２のさらに詳細な手順を示すフローチャートである。
【図１５】図１２のさらに詳細な手順を示すフローチャートである。
【図１６】本発明の他の実施の形態にかかるカラープルーフ作成システムの全体の概略構成の一例を示すネットワーク構成図である。
【図１７】図１６のカラープルーフ作成システムの管理装置および画像記録装置の詳細な構成を示す機能ブロック図である。
【符号の説明】
１　カラープルーフ作成システム
２　上流端末（情報端末）
３　画像処理装置
４　サブホスト
５　ホスト
１０　管理装置
１１　入力部
１２　データ処理部
１３　転送制御部
１４　記憶部
１５　操作部
１６　表示部
１７　外部入力装置
１８　管理制御部
２０　画像記録装置
２１　通信制御部
２２　情報一時格納部
２３　露光部
２４　現像部
２５　排紙部
２６　表示部
２６ａ　第１の設定手段
２６ｂ　第２の設定手段
２６ｃ　第３の設定手段
２７　操作部
２８　記憶部
２８ａ　カラーコレクションテーブル
２８ｂ　光量測光テーブル
２８ｃ　出力テーブル
２８ｄ　シングル測光によるＡ／Ｄ値格納部
２８ｅ　測光係数格納部
２８ｆ　補正露光量情報格納部
２９　補正処理部
２９ａ　光量測光処理手段
２９ｂ　シングル測光処理手段
２９ｃ　測光係数処理手段
２９ｄ　補正演算処理手段
２９ｅ　演算処理制御手段
３０　制御部
４０　露光ユニット
５０　現像処理ユニット
Ｎ１、Ｎ２、Ｎ３、Ｎ４　ネットワーク（通信網）
【図１】
2004034457.tif 000003
【図２】
2004034457.tif 000004
【図３】
2004034457.tif 000005
【図４】
2004034457.tif 000006
【図５】
2004034457.tif 000007
【図６】
2004034457.tif 000008
【図７】
2004034457.tif 000009
【図８】
2004034457.tif 000010
【図９】
2004034457.tif 000011
【図１０】
2004034457.tif 000012
【図１１】
2004034457.tif 000013
【図１２】
2004034457.tif 000014
【図１３】
2004034457.tif 000015
【図１４】
2004034457.tif 000016
【図１５】
2004034457.tif 000017
【図１６】
2004034457.tif 000018
【図１７】
2004034457.tif 000019